(57)【特許請求の範囲】
【請求項１】
無線通信システムにおいて、端末で実行される、モニタリングタイミングを制御する方法であって、
無線フレーム内における制御および参照信号の少なくとも一つが存在する第１のサブフレームと前記制御および参照信号が存在しない第２のサブフレームとのためにセットされるモニタリングサブフレーム設定を有する情報を取得するステップと、
前記情報に基づいてセルのモニタリングサブフレームを決定するステップと、
前記モニタリングサブフレームによって前記第１のサブフレームおよび前記第２のサブフレームのモニタリングを制御するステップと、を有し、
前記情報は、
前記無線フレームで、０番目および５番目のサブフレームが前記第１のサブフレームのためにセットされ、残りが前記第２のサブフレームのためにセットされることを有するサブフレームパターン、または、
予め定義された値によって前記第１のサブフレームおよび前記第２のサブフレームを指示するビットマップ情報、をさらに有する、方法。
【請求項２】
前記取得するステップは、
前記端末がセル固有参照信号（ＣＲＳ）が予め指定されたシンボルに存在すると仮定する前記第１のサブフレームと、前記端末が前記ＣＲＳが存在すると仮定しない前記第２のサブフレームと、を確認するステップを有する、請求項１に記載の方法。
【請求項３】
前記第１のサブフレームでセル共通参照信号に基づいて測定を実行し、前記第２のサブフレームでディスカバリ信号に基づいて選択的な測定を実行するステップをさらに有する、請求項１に記載の方法。
【請求項４】
前記制御するステップは、
サブフレームの搬送波タイプに関する開始オフセット、オンデュレーションおよび周期を有する間欠受信（ＤＲＸ）情報を確認するステップと、
前記第１のサブフレームおよび前記第２のサブフレームの活性化時間およびオフ時間に基づいて、前記第１のサブフレームまたは前記第２のサブフレームが前記モニタリングサブフレームにあるかどうかを決定するステップであって、前記第１のサブフレームおよび前記第２のサブフレームの前記活性化時間および前記オフ時間は、前記ＤＲＸ情報によって決定されるステップと、をさらに有する、請求項１に記載の方法。
【請求項５】
前記情報は、
前記第１のサブフレームおよび前記第２のサブフレームを指示するビットマップ情報を有するサブフレーム設定、もしくは前記モニタリングサブフレームのための開始オフセット、デュレーションおよび周期を有する周期ベースの設定、を有する無線リソース制御（ＲＲＣ）メッセージ、
媒体接続制御（ＭＡＣ）メッセージ、または、
システム情報メッセージ、のうち一つを介して取得される、請求項１に記載の方法。
【請求項６】
前記第２のサブフレームは、
物理制御フォーマットインジケータチャネル（ＰＣＦＩＣＨ）、物理ダウンリンク制御チャネル（ＰＤＣＣＨ）もしくは物理ＨＡＲＱインジケータチャネル（ＰＨＩＣＨ）を有するダウンリンク制御チャネルが送信されないサブフレーム、
拡張物理ダウンリンク制御チャネル（ｅＰＤＣＣＨ）、ディスカバリ信号もしくは復調用参照信号（ＤＭ−ＲＳ）が送信されるサブフレーム、または、
電力制御パラメータが前記第１のサブフレームより少なく設定されるサブフレーム、をさらに有する、請求項１に記載の方法。
【請求項７】
ｅＰＤＣＣＨセットは、前記サブフレームの搬送波タイプに基づいて確認され、
前記第１のサブフレームまたは前記第２のサブフレームは、前記ｅＰＤＣＣＨセットに基づいて共通サーチスペース（ＣＳＳ）もしくは端末固有サーチスペース（ＵＳＳ）によってモニタリングされる、請求項１に記載の方法。
【請求項８】
前記モニタリングサブフレーム設定における前記第１のサブフレームおよび前記第２のサブフレームは、トラフィック適応のために動的時分割二重通信（ＴＤＤ）設定によってダウンリンク/アップリンク設定に従って変更される、請求項１に記載の方法。
【請求項９】
前記モニタリングサブフレーム設定における前記第１のサブフレームおよび前記第２のサブフレームは、対応するセルのダウンリンク/アップリンク設定に従って変更される、請求項１に記載の方法。
【請求項１０】
前記モニタリングサブフレーム設定における前記第１のサブフレームおよび前記第２のサブフレームは、ＰＤＣＣＨもしくはＣＲＳの存在に基づいて、または、ＤＲＸ活性化時間でないサブフレームがオフ状態として考慮されるＤＲＸ設定に基づいて、変更される、請求項１に記載の方法。
【請求項１１】
無線通信システムにおいて、モニタリングタイミングを制御する無線装置であって、
無線信号を送受信する無線周波（ＲＦ）部と、
前記ＲＦ部に動作可能に結合されたプロセッサと、を有し、前記プロセッサは、
無線フレーム内における制御および参照信号の少なくとも一つが存在する第１のサブフレームと前記制御および参照信号が存在しない第２のサブフレームとのためにセットされるモニタリングサブフレーム設定を有する情報を取得し、
前記情報に基づいてセルのモニタリングサブフレームを決定し、
前記モニタリングサブフレームによって前記第１のサブフレームおよび前記第２のサブフレームのモニタリングを制御するように構成され、
前記情報は、
前記無線フレームで、０番目および５番目のサブフレームが前記第１のサブフレームのためにセットされ、残りが前記第２のサブフレームのためにセットされることを有するサブフレームパターン、または、
予め定義された値によって前記第１のサブフレームおよび前記第２のサブフレームを指示するビットマップ情報、をさらに有する、無線装置。
【請求項１２】
前記プロセッサは、
セル固有参照信号（ＣＲＳ）が予め指定されたシンボルに存在すると仮定する前記第１のサブフレームと、前記ＣＲＳが存在すると仮定しない前記第２のサブフレームと、を確認し、
前記第１のサブフレームでセル共通参照信号に基づいて測定を実行し、前記第２のサブフレームでディスカバリ信号に基づいて選択的な測定を実行するように構成される、請求項１１に記載の無線装置。
【請求項１３】
前記プロセッサは、
サブフレームの搬送波タイプに関する開始オフセット、オンデュレーションおよび周期を有する間欠受信（ＤＲＸ）情報を確認し、
前記第１のサブフレームおよび前記第２のサブフレームの活性化時間およびオフ時間に基づいて、前記第１のサブフレームまたは前記第２のサブフレームが前記モニタリングサブフレームにあるかどうかを決定し、前記第１のサブフレームおよび前記第２のサブフレームの前記活性化時間および前記オフ時間は、前記ＤＲＸ情報によって決定されるように構成される、請求項１１に記載の無線装置。
【請求項１４】
前記プロセッサは、
情報を確認し、
前記情報は、
前記第１のサブフレームおよび前記第２のサブフレームを指示するビットマップ情報を有するサブフレーム設定、異なる時分割二重通信（ＴＤＤ）設定に基づくオールモストブランクサブフレーム（ＡＢＳ）設定、もしくは前記モニタリングサブフレームのための開始オフセット、デュレーションおよび周期を有するＤＲＸ設定を有する無線リソース制御（ＲＲＣ）メッセージ、
媒体接続制御（ＭＡＣ）メッセージ、または、
システム情報メッセージのうち一つを介して取得される、請求項１１に記載の無線装置。
【発明の詳細な説明】
【技術分野】
【０００１】
本発明は、無線通信に関し、より詳しくは、単一周波数もしくは複数の（multiple）周波数上の（over）複数の搬送波で構成される無線通信システムにおいて、モニタリングタイミング（monitoring timing）を制御する方法および装置に関する。
【背景技術】
【０００２】
ＵＭＴＳ（Universal Mobile Telecommunications System）の改良型（improved version）である３ＧＰＰ（3rd Generation Partnership Project）ＬＴＥ（Long Term Evolution）は、３ＧＰＰリリース（release）８で紹介されている。３ＧＰＰ ＬＴＥは、ダウンリンクでＯＦＤＭＡ（Orthogonal Frequency Division Multiple Access）を使用し、アップリンクでＳＣ−ＦＤＭＡ（Single Carrier-Frequency Division Multiple Access）を使用する。最大４個のアンテナを有するＭＩＭＯ（Multiple Input Multiple Output）を採用する。最近、３ＧＰＰ ＬＴＥの発展型（evolution）である３ＧＰＰ ＬＴＥ−Ａ（LTE-Advanced）に関する議論が進行中である。
【０００３】
最近、３ＧＰＰ ＬＴＥ（Ａ）システムの商業化が加速されている。ＬＴＥシステムは、音声サービスのように移動性を確保しながらより高い品質およびより高い容量をサポートすることができるサービスに対するユーザの要求に応じて、より速く拡散される。ＬＴＥシステムは、小さい送信遅延、高い送信速度およびシステム容量、そして、拡張した（enhanced）カバレッジを提供する。
【０００４】
ユーザの要求に応じてサービス容量を増加させるために、帯域幅を増加させることは必須である。キャリアアグリゲーション（Carrier Aggregation；ＣＡ）技術は、効果を得ることを目標として、論理的により広いバンドが使われ、周波数領域で複数の物理的不連続バンドをグループ化することによって、断片化された小型バンド（small band）を効率的に使用するように発展している。キャリアアグリゲーションによりグループ化された個別の単位搬送波は、コンポーネントキャリア（Component Carrier；ＣＣ）として知られている。各々のコンポーネントキャリアは、一つの帯域幅および中心周波数により定義される。
【０００５】
複数のコンポーネントキャリアを介して広帯域でデータが送受信されるシステムは、マルチコンポーネントキャリアシステム（multi-CC system）もしくはキャリアアグリゲーション環境と呼ばれる。マルチコンポーネントキャリアシステムは、一つもしくは複数の搬送波を使用することによって、狭帯域および広帯域の両方を実行する。例えば、各々の副搬送波が２０ＭＨｚの帯域幅に対応する場合、最大帯域幅１００ＭＨｚは、５個の搬送波を使用してサポートされることができる。
【０００６】
マルチコンポーネントキャリアシステムを動作させるために、ｅＮＢ（enhanced Node B）などの基地局（ＢＳ）とターミナル（Terminal）などの端末（ＵＥ）との間に多様な制御信号が必要とされる。また、マルチコンポーネントキャリア（multi-CC）のための効率的なセルプラニング（cell planning）も必要とされる。また、多様な信号もしくは効率的なセルプラニング（cell planning）スキーム（scheme）は、セル間干渉の減少（inter-cell interference reduction）および搬送波の拡張（carrier extensions）をサポートするために、ｅＮＢと端末との間で送信されることが必要とされる。さらに、端末のためのｅＮＢ間における調整によるノード間リソース割当（inter-node resource allocation）も、マルチコンポーネントキャリアアグリゲーションが多数のｅＮＢ/ノード上で達成される場合、実現可能である。必然的に送信されるべき新しい搬送波を含むセルプラニング（cell planning）のための効率的な動作スキームは、制御およびＲＳ信号を制限もしくは除去し、さらに、小型セル（small cell）クラスタ環境で端末の動作は定義されなければならない。効率的な動作は、小型セルおよびマクロセルのための適切なモニタリングおよび同期タイミングを含む。
【発明の概要】
【発明が解決しようとする課題】
【０００７】
本発明は、無線通信システムにおける同期化を実行する方法および装置を提供する。
【０００８】
本発明は、無線通信システムにおけるモニタリングタイミングを制御する方法および装置を提供する。
【課題を解決するための手段】
【０００９】
一側面で、無線通信システムにおいて、モニタリングタイミング（monitoring timing）を制御する方法を提供する。この方法は、無線フレーム内で制御および参照信号の少なくとも一つ（at least one of control and reference signal）が存在する第１のサブフレームと制御および参照信号が存在しない第２のサブフレームとのためにセットされるモニタリングサブフレーム設定を有する情報を取得し、情報に基づいてセルのモニタリングサブフレームを決定し、モニタリングサブフレームによって第１のサブフレームおよび第２のサブフレームのモニタリングを制御することを有する。
【００１０】
他の側面で、無線通信システムにおいて、モニタリングタイミングを制御する無線装置を提供する。無線装置は、無線信号を送受信する無線周波（Radio Frequency；ＲＦ）部と、ＲＦ部に動作可能に結合されたプロセッサと、を有し、プロセッサは、無線フレーム内における制御および参照信号の少なくとも一つが存在する第１のサブフレームと制御および参照信号が存在しない第２のサブフレームとのためにセットされるモニタリングサブフレーム設定を含む情報を取得し、情報に基づいてセルのモニタリングサブフレームを決定し、モニタリングサブフレームによって第１のサブフレームおよび第２のサブフレームのモニタリングを制御するよう構成される。
【発明の効果】
【００１１】
提案された実施例は、小型セルおよびマクロセル状態によるダイナミックな（動的）（dynamic）カバレッジと共により効率的なモニタリングタイミングおよび同期化をサポートする。特に、提案された実施例は、小型セルおよびマクロセル環境において、サブフレームにおけるセル参照信号（Cell Reference Signals；ＣＲＳ）もしくはサブフレームにおけるｎｏ−ＣＲＳの区別によってモニタリングタイミングを制御することをサポートする。
【図面の簡単な説明】
【００１２】
【図１】本発明が適用される無線通信システムを示す図である。
【図２】本発明の好ましい実施例に係るキャリアアグリゲーション技術に関する概念を示す図である。
【図３】本発明が適用される無線フレーム（radio frame）の構造を示す図である。
【図４】本発明が適用されるダウンリンク制御チャネルを示す図である。
【図５】本発明が適用されるモニタリングサブフレーム設定の一例を示す図である。
【図６】本発明が適用される搬送波タイプ（type）によって、活性化（アクティブ（active））時間と共にモニタリングサブフレームを例示する図である。
【図７】本発明が適用される搬送波タイプによって、活性化時間と共にモニタリングサブフレームを例示する図である。
【図８】本発明が適用されるオン/オフデュレーションを例示する図である。
【図９】本発明が適用されるオン/オフデュレーションを例示する図である。
【図１０】本発明が適用されるセルタイプ切替（スイッチ）（switch）のための遅延時間の除去を例示する図である。
【図１１】本発明が適用されるモニタリングタイミングを制御するフローチャートを示す図である。
【図１２】本発明の好ましい実施例に係る無線通信システムを示すブロック図である。
【発明を実施するための形態】
【００１３】
図１は、本発明が適用される無線通信システムを示す。これはＥ−ＵＴＲＡＮ（Evolved-UMTS Terrestrial Radio Access Network）、もしくはＬＴＥ（Long Term Evolution）/ＬＴＥ−Ａシステムとも呼ばれる。
【００１４】
Ｅ−ＵＴＲＡＮは、端末（User Equipment、ＵＥ）１０に制御プレーン（control plane）およびユーザプレーン（user plane）を提供する基地局（Base Station、ＢＳ）２０を含む。端末１０は、固定されてもよいし、移動性を有してもよく、ＭＳ（Mobile Station）、ＵＴ（User Terminal）、ＳＳ（Subscriber Station）、ＭＴ（Mobile Terminal）、無線機器（Wireless Device）など、他の用語で呼ばれることもある。基地局２０は、端末１０と通信する固定局（fixed station）を意味し、ｅＮＢ（evolved-NodeB）、ＢＴＳ（Base Transceiver System）、アクセスポイント（Access Point）など、他の用語で呼ばれることもある。
【００１５】
無線通信システムに適用される多重接続スキームは制限されない。即ち、ＣＤＭＡ（Code Division Multiple Access）、ＴＤＭＡ（Time Division Multiple Access）、ＦＤＭＡ（Frequency Division Multiple Access）、ＯＦＤＭＡ（Orthogonal Frequency Division Multiple Access）、ＳＣ−ＦＤＭＡ（Single Carrier-FDMA）、ＯＦＤＭ−ＦＤＭＡ、ＯＦＤＭ−ＴＤＭＡ、ＯＦＤＭ−ＣＤＭＡなどの多様な多重接続スキームが使われることができる。アップリンク送信およびダウンリンク送信に対し、異なる時間を使用して送信する時分割二重通信（Time Division Duplex；ＴＤＤ）スキームもしくは異なる周波数を使用して送信するＦＤＤ（Frequency Division Duplex）スキームが使われることができる。
【００１６】
基地局２０は、Ｘ２インターフェースを介して互いに結合されることができる。基地局２０は、Ｓ１インターフェースを介してＥＰＣ（Evolved Packet Core）３０、より詳しくは、Ｓ１−ＭＭＥを介してＭＭＥ（Mobility Management Entity）と結合され、Ｓ１−Ｕを介してＳ−ＧＷ（Serving GateWay）と結合される。
【００１７】
ＥＰＣ３０は、ＭＭＥ、Ｓ−ＧＷおよびＰ−ＧＷ（Packet Data Network-GateWay）で構成される。ＭＭＥは、端末のアクセス情報や端末の能力に関する情報を有しており、これらの情報は、端末の移動性管理に主に使われる。Ｓ−ＧＷは、Ｅ−ＵＴＲＡＮを終端点として有するゲートウェイであり、Ｐ−ＧＷは、ＰＤＮを終端点として有するゲートウェイである。
【００１８】
端末とネットワークとの間の無線インターフェースプロトコル（Radio Interface Protocol）の階層は、通信システムで広く知られた開放型システム間相互接続（Open System Interconnection；ＯＳＩ）基準モデルの下位３層に基づいてＬ１（第１の層）、Ｌ２（第２の層）、Ｌ３（第３の層）に区分されることができ、このうち、第１の層に属する物理層は、物理チャネル（Physical Channel）を利用した情報トランスポートサービス（Information Transfer Service）を提供し、第３の層に位置する無線リソース制御（Radio Resource Control；ＲＲＣ）層は、端末とネットワークとの間における無線リソースを制御する役割を遂行する。そのために、ＲＲＣ層は、端末と基地局との間でＲＲＣメッセージを交換する。
【００１９】
より詳しくは、ユーザプレーン（user plane）および制御プレーン（control plane、Ｃ−ｐｌａｎｅ）のための無線プロトコルアーキテクチャを説明する。ＰＨＹ層は、物理チャネルを介して上位層に情報伝達サービスを提供する。ＰＨＹ層は、トランスポートチャネルを介してＰＨＹ層の上位層である媒体接続制御（Medium Access Control；ＭＡＣ）層に接続される。データは、トランスポートチャネルを介してＭＡＣ層とＰＨＹ層との間で送信される。トランスポートチャネルは、無線インターフェースを介して特性（characteristics）データがどのようにおよび何によって送信されるかによって分類される。互いに異なるＰＨＹ層、即ち、送信端のＰＨＹ層と受信端のＰＨＹ層との間において、データは、物理層を介して送信される。物理チャネルは、ＯＦＤＭ（Orthogonal Frequency Division Multiplexing）スキームを使用して変調され、無線リソースである時間および周波数を利用する。
【００２０】
ＭＡＣ層の機能は、論理チャネルとトランスポートチャネルとの間のマッピングと、論理チャネルに属するＭＡＣ ＳＤＵ（Service Data Unit）のトランスポートチャネルを介して物理チャネルに提供されるトランスポートブロックに対する多重化/逆多重化（multiplexing/de-multiplexing on a transport block provided to a physical channel over a transport channel of a MAC service data unit (SDU) belonging to the logical channel）と、を含む。ＭＡＣ層は、論理チャネルを介してサービスをＲＬＣ（Radio Link Control）層に提供する。
【００２１】
ＲＬＣ層の機能は、ＲＬＣ ＳＤＵの連接（コンカチネーション）（concatenation）、分割（segmentation）および再組立（reassembly）を含む。無線ベアラ（radio bearer）により必要とされるＱｏＳ（Quality of Service）の多様性を保証する（ensure）ために、ＲＬＣ層は、三つの動作モード、即ち、ｔｒａｎｓｐａｒｅｎｔモード（ＴＭ）、ｕｎａｃｋｎｏｗｌｅｄｇｅｄモード（ＵＭ）およびａｃｋｎｏｗｌｅｄｇｅｄモード（ＡＭ）を提供する。ＡＭ ＲＬＣは、ＡＲＱ（Automatic Repeat Request）を使用することによってエラーの訂正を提供する。
【００２２】
ユーザプレーンにおいて、ＰＤＣＰ（Packet Data Convergence Protocol）層の機能は、ユーザデータの伝達、ヘッダ圧縮および暗号化（ciphering）を含む。制御プレーンにおいて、ＰＤＣＰ層の機能は、制御プレーンデータの伝達および暗号化/完全性保護（integrity protection）を含む。
【００２３】
ＲＲＣ（Radio Resource Control）層は、制御プレーンでのみ定義される。ＲＲＣ層は、設定、再設定および無線ベアラの解除と関連して論理チャネル、トランスポートチャネルおよび物理チャネルを制御することを支援する。無線ベアラは、端末とネットワークとの間のデータ伝達のために、第１の層（即ち、ＰＨＹ層）および第２の層（即ち、ＭＡＣ層、ＲＬＣ層およびＰＤＣＰ層）により提供される論理経路である。
【００２４】
無線ベアラの設定は、特定サービスを提供するために、ならびに各々の細部的なパラメータおよび動作を決定するために、無線プロトコル層およびチャネル特性を具体化する手順を意味する。無線ベアラは、二つのタイプ、即ち、シグナリング無線ベアラ（ＳＲＢ）とデータ無線ベアラ（ＤＲＢ）とに分類されることができる。ＳＲＢは、制御プレーンでＲＲＣメッセージを送信するための経路として使われる。ＤＲＢは、ユーザプレーンでユーザデータを送信するための経路として使われる。
【００２５】
端末のＲＲＣ層とネットワークのＲＲＣ層との間に、ＲＲＣ接続が形成される場合、端末は、ＲＲＣ接続状態であり（ＲＲＣ ｃｏｎｎｅｃｔｅｄ ｍｏｄｅとして示すこともでき）、ＲＲＣ接続されていない場合 、端末は、ＲＲＣアイドル状態である（ＲＲＣ ｉｄｌｅ ｍｏｄｅとして示すこともできる）。
【００２６】
図２は、本発明の好ましい実施例に係るキャリアアグリゲーション技術に関する概念を示す。
【００２７】
図２を参照すると、マルチコンポーネントキャリア（multiple CC）がアグリゲーションされるとき（ここでは、３個の搬送波が存在する）、３ＧＰＰ ＬＴＥ−Ａ（LTE-Advanced）システムで考慮されるＤＬ/ＵＬサブフレーム構造が図示される。端末は、同時に複数のＤＬ ＣＣからＤＬ信号/データをモニタリングして受信することができる。しかし、一つのセルがＮ個のＤＬ ＣＣを管理しているとしても、ＤＬ信号/データをモニタリングする端末がＭ個のＤＬ ＣＣに制限されるために、Ｍ≦Ｎの場合、ネットワークは、端末をＭ個のＤＬ ＣＣで設定することができる。追加として、ネットワークは、Ｌ≦Ｍ≦Ｎの場合、端末固有もしくはセル固有に、端末がＤＬ信号/データを優先してモニタリング/受信すべき主要なＤＬ ＣＣとしてＬ個のＤＬ ＣＣを設定することができる。（In addition, the network may configure L DL CCs as the main DL CCs from which the UE should monitor/receive DL signal/data with a priority, either UE-specifically or cell-specifically, where Ｌ≦Ｍ≦Ｎ.）したがって、端末は、端末の容量（capability）によって、一つもしくは複数の搬送波（搬送波１もしくはそれ以降の搬送波２...Ｎ）をサポートすることができる。
【００２８】
搬送波もしくはセルは、活性化されているか否かに応じて、ＰＣＣ（Primary Component Carrier）とＳＣＣ（Secondary Component Carrier）とに分けられる。ＰＣＣは、継続的に活性化される搬送波であり、ＳＣＣは、特定条件によって活性化もしくは非活性化される搬送波である。即ち、ＰＣｅｌｌ（Primary Serving Cell）は、端末が初期にサービングセルの中で接続（もしくは、ＲＲＣ接続）を確立するリソースである。ＰＣｅｌｌは、複数のセルに対してシグナリングのための接続（もしくは、ＲＲＣ接続）を提供し、端末に関連した接続情報である端末コンテキスト（UE context）を管理するための特別なＣＣである。さらに、ＰＣｅｌｌ（ＰＣＣ）が端末との接続を確立し、このようにＲＲＣ接続モード（RRC connected mode）である場合、ＰＣＣは、常に活性化状態で存在する。ＳＣｅｌｌ（Secondary Serving Cell）は、ＰＣｅｌｌ（ＰＣＣ）以外に端末に割り当てられるリソースである。ＳＣｅｌｌは、ＰＣＣに加えて追加のリソース割当などのために拡張された搬送波であり、活性化状態と非活性化状態とに分けられる（The SCell is an extended carrier for additional resource assignment, etc., in addition to the PCC, and can be divided into an activation state and a deactivation state）。ＳＣｅｌｌは、初期において非活性化状態である。ＳＣｅｌｌが非活性化された場合には、ＳＣｅｌｌ上でＳＲＳを送信しないこと、ＳＣｅｌｌのためにＣＱＩ/ＰＭＩ/ＲＩ/ＰＴＩを報告しないこと、ＳＣｅｌｌ上のＵＬ−ＳＣＨ上で送信しないこと、ＳＣｅｌｌ上でＰＤＣＣＨをモニタリングしないこと、ＳＣｅｌｌのためにＰＤＣＣＨをモニタリングしないことが含まれる。端末は、ＳＣｅｌｌを活性化もしくは非活性化するＴＴＩ内で活性化/非活性化ＭＡＣ制御要素を受信する。
【００２９】
また、ユーザスループットを拡張させるために、端末が一つの搬送波グループより多く設定されることができる複数のｅＮＢ/ノード上でノード間リソースアグリゲーションを可能にすることが考慮される。特に、非活性化されることができない各搬送波グループのＰＣｅｌｌに設定される。即ち、端末に設定される場合、各搬送波グループのＰＣｅｌｌが全時間でそれの活性化状態を維持することができる。この場合、マスタＰｃｅｌｌであるサービングセルインデックス０を含まない、搬送波グループにおいてＰｃｅｌｌに対応するサービングセルインデックスｉは、活性化/非活性化のために使われなくてもよい（In that case, serving cell index i corresponding to a PCell in a carrier group which does not include serving cell index 0 which is a master PCell cannot be used for activation/deactivation）。
【００３０】
より詳しくは、２個の搬送波グループシナリオで、サービングセルインデックス０、１、２が一つの搬送波グループにより設定され、それに対し、サービングセルインデックス３、４、５が他の一つの搬送波グループにより設定され、サービングセルインデックス０がＰｃｅｌｌであり、サービングセルインデックス３が２番目の搬送波グループのＰＣｅｌｌの場合、１および２に対応するビットのみが１番目の搬送波グループのセルの活性化/非活性化メッセージのために有効であると仮定し、それに対し、４および５に対応するビットは、２番目の搬送波グループセルのために有効であると仮定する。１番目の搬送波グループおよび２番目の搬送波グループのためのＰｃｅｌｌ間の区別のために、以下では、２番目の搬送波グループのためのＰｃｅｌｌは、Ｓ−Ｐｃｅｌｌとして示される。ここで、サービングセルのインデックスは、各端末のために相対的に決定された論理インデックスでもよく、もしくは特定周波数バンドのセルを指示するための物理インデックスでもよい。そして、キャリアアグリゲーションシステムは、交差しない（non-cross）搬送波スケジューリング（self-carrier scheduling）もしくは交差した（cross）搬送波スケジューリングをサポートする。
【００３１】
図３は、本発明が適用される無線フレーム（radio frame）の構造を示す。
【００３２】
図３を参照すると、無線フレームは、１０個のサブフレーム（subframe）で構成され、一つのサブフレームは、２個のスロット（slot）で構成される。一つのサブフレームの送信にかかる時間をＴＴＩ（Transmission Time Interval）という。ＴＴＩは、データ送信のためのスケジューリング単位である。例えば、一つの無線フレームの長さは１０ｍｓであり、一つのサブフレームの長さは１ｍｓであり、一つのスロットの長さは０.５ｍｓである。
【００３３】
一つのスロットは、時間領域（time domain）で複数のＯＦＤＭ（Orthogonal Frequency Division Multiplexing）シンボルを含み、周波数領域で複数のリソースブロック（Resource Blocks；ＲＢｓ）を含む。ＯＦＤＭシンボルは、ダウンリンクＯＦＤＭＡが３ＧＰＰ ＬＴＥで使われるので一つのシンボル区間（symbol period）を表現するためのものであり、これは、多重接続スキームに応じてＳＣ−ＦＤＭＡシンボルもしくはシンボル周期と呼ばれてもよい（An OFDM symbol is for representing one symbol period because downlink OFDMA is used in 3GPP LTE system and it may be called an SC-FDMA symbol or a symbol period depending on a multi-access scheme）。リソースブロックは、リソース割当単位であり、一つのスロット内にある複数の連続する副搬送波を含む。一つのスロットに含まれるＯＦＤＭシンボルの個数はＣＰ（Cyclic Prefix）の設定によって変更されることができる。ＣＰは、拡張（extended）ＣＰおよび通常（normal）ＣＰを含む。例えば、通常ＣＰの場合、ＯＦＤＭシンボルは７個で構成される。拡張ＣＰにより設定される場合、一つのスロットに６個のＯＦＤＭシンボルが含まれる。チャネル状態が高速で動く端末のように不安定な場合（If the channel status is unstable such as moving at a fast pace UE）、拡張ＣＰが、シンボル間干渉を減少させるように設定されることができる。ここで、上記無線フレームの構造は、一例にすぎない。したがって、無線フレームに含まれるサブフレームの個数やサブフレームに含まれるスロットの個数、もしくはスロットに含まれるＯＦＤＭシンボルの個数は、新しい通信システムに適用するために多様に変更されることができる。本発明は、特定の特徴を変更させて他のシステムに適用することに制限はなく、本発明の実施例は、システムに対応して変更されることができる方法を適用することができる。
【００３４】
ダウンリンクスロットは、時間領域で複数のＯＦＤＭシンボルを含む。ここで、一つのダウンリンクスロットは、７個のＯＦＤＭシンボルを含むとして例示し、一つのリソースブロック（Resource Block）は、周波数領域で１２個の副搬送波を含むとして例示したが、それに制限されるものではない。リソースグリッド上での各要素は、ＲＥ（Resource Element）と呼ばれる。一つのリソースブロックは、１２×７（もしくは、６）個のＲＥを含む。ダウンリンクスロットに含まれるリソースブロックの数（ＮDL）は、セル内で設定されたダウンリンク送信帯域幅に依存する。ＬＴＥで考慮される帯域幅は、１.４ＭＨｚ、３ＭＨｚ、５ＭＨｚ、１０ＭＨｚ、１５ＭＨｚ、および２０ＭＨｚである。帯域幅がリソースブロックの数で表現される場合、それらは、それぞれ、６、１５、２５、５０、７５および１００である。
【００３５】
サブフレーム内における１番目のスロットの最初の（former）０もしくは１もしくは２もしくは３個のＯＦＤＭシンボルは、制御チャネルが割り当てられる制御領域に対応し、残りのＯＦＤＭシンボルは、ＰＤＳＣＨが割り当てられるデータ領域に対応する。ダウンリンク制御チャネルの例は、物理制御フォーマットインジケータチャネル（Physical Control Format Indicator CHannel；ＰＣＦＩＣＨ）、物理ダウンリンク制御チャネル（Physical Downlink Control CHannel；ＰＤＣＣＨ）、および物理ＨＡＲＱインジケータチャネル （Physical Hybrid-ARQ Indicator CHannel；ＰＨＩＣＨ）を含む。
【００３６】
サブフレームの１番目のＯＦＤＭシンボル上で送信されるＰＣＦＩＣＨは、サブフレームで制御チャネルの送信のために使われるＯＦＤＭシンボルの数（即ち、制御領域の大きさ）に関連したＣＦＩ（Control Format Indicator）を伝達する。即ち、サブフレーム内で制御チャネルの送信のために使われるＯＦＤＭシンボルの数に関連した情報を伝達する。端末は、ＰＣＦＩＣＨ上で最初にＣＦＩを受信し、それ以後にＰＤＣＣＨをモニタリングする。
【００３７】
ＰＨＩＣＨは、アップリンクＨＡＲＱ（Hybrid Automatic Repeat Request）に対する応答としてＡＣＫ（Acknowledgement）/ＮＡＣＫ（not-acknowledgement）信号を伝達する。即ち、端末により送信されるアップリンクデータのためのＡＣＫ/ＮＡＣＫ信号がＰＨＩＣＨ上で送信される。
【００３８】
ＰＤＣＣＨ（もしくは、ＥＰＤＣＣＨ）は、ダウンリンク物理チャネルであり、ＰＤＣＣＨは、ＤＬ−ＳＣＨ（Downlink Shared CHannel）のリソース割当および送信フォーマットに関する情報、ＵＬ−ＳＣＨ（Uplink Shared CHannel）のリソース割当に関する情報、ＰＣＨ（Paging CHannel）に対するページング情報、ＤＬ−ＳＣＨ上のシステム情報、上位層制御メッセージのリソース割当に関する情報、例えば、ＰＤＳＣＨ上で送信されるランダムアクセス応答、特定端末グループ内の端末のための送信電力制御命令のセット、ＶｏＩＰ（Voice over Internet Protocol）の活性化などを伝達することができる。複数のＰＤＣＣＨｓは、制御領域内で送信されることができ、端末は、複数のＰＤＣＣＨｓをモニタリングすることができる。ＰＤＣＣＨは、一つのＣＣＥ（Control Channel Element）上でもしくは連続する数個のＣＣＥのセット（アグリゲーション）（an aggregation of some contiguous CCEs）上で送信される。ＣＣＥは、無線チャネルの状態によるコーディングレートをＰＤＣＣＨに提供するための論理的な割当単位である。ＣＣＥは、複数のＲＥＧｓ（Resource Element Groups）に対応する。ＰＤＣＣＨのフォーマットおよびＰＤＣＣＨの使用可能なビット数は、ＣＣＥの個数とＣＣＥにより提供されるコーディングレート（coding rate）との間の相関関係により決定される。
【００３９】
本発明の無線通信システムは、ＰＤＣＣＨ（もしくは、ｅＰＤＣＣＨ）検出のためにブラインドデコーディングを使用する。ブラインドデコーディングは、ＰＤＣＣＨがＣＲＣエラー確認を実行することによって自分のチャネルであるかどうかを決定するために、ＰＤＣＣＨのＣＲＣから好ましい識別子がデマスク（de-mask）される技法である。ｅＮＢは、端末に送信されるためにＤＣＩによるＰＤＣＣＨフォーマットを決定する。その以後、ｅＮＢは、ＣＲＣ（Cyclic Redundancy Check）をＤＣＩに付着し、ＰＤＣＣＨのオーナ（owner）もしくは使用による一意な識別子（unique identifier）（ＲＮＴＩ（Radio Network Temporary Identifier）と呼ばれる）をＣＲＣにマスク（mask）する。例えば、ＰＤＣＣＨが特定端末のためのものである場合、端末の一意な識別子（例えば、Ｃ−ＲＮＴＩ（cell-RNTI））は、ＣＲＣにマスクされることができる。一方、ＰＤＣＣＨがページングメッセージのためのものである場合、ページング指示子識別子（例えば、Ｐ−ＲＮＴＩ（Paging-RNTI））は、ＣＲＣにマスクされることができる。ＰＤＣＣＨがシステム情報（より詳しくは、以下に記述するＳＩＢ（System Information Block））のためのものである場合、システム情報識別子およびシステム情報ＲＮＴＩ（system information RNTI）（例えば、ＳＩ−ＲＮＴＩ）は、ＣＲＣにマスクされることができる。端末のランダムアクセスプリアンブルの送信に対する応答であるランダムアクセス応答を指示するために、ランダムアクセスＲＮＴＩ（random access-RNTI）（例えば、ＲＡ−ＲＮＴＩ）は、ＣＲＣにマスクされることができる。
【００４０】
このように、基地局は、端末に送信されるＤＣＩ（Downlink Control Information）によってＰＤＣＣＨフォーマットを決定し、制御情報にＣＲＣを付着する。ＤＣＩは、アップリンクもしくはダウンリンクスケジューリング情報を含み、または、任意の端末グループのためのアップリンク送信（Ｔｘ）電力制御命令を含む。ＤＣＩは、そのフォーマットによって互いに異なるように使われ、また、ＤＣＩ内で定義された互いに異なるフィールドを有する。
【００４１】
それに対し、アップリンクサブフレームは、周波数領域において、アップリンク制御情報を伝達するＰＵＣＣＨ（Physical Uplink Control CHannel）が割り当てられる制御領域と（制御情報は、ダウンリンク送信のＡＣＫ/ＮＡＣＫ応答を含む）、ユーザデータを伝達するＰＵＳＣＨ（Physical Uplink Shared CHannel）が割り当てられるデータ領域と、に分けられる。ＰＵＣＣＨは、複数のフォーマットをサポートする。即ち、変調スキームによってサブフレーム毎に互いに異なるビット数を有するアップリンク制御情報を送信することができる。ＰＵＣＣＨフォーマット１は、ＳＲ（Scheduling Request）の送信に使われ、ＰＵＣＣＨフォーマット１ａおよび１ｂは、ＨＡＲＱ ＡＣＫ/ＮＡＣＫ信号を送信するために使われる。ＰＵＣＣＨフォーマット２は、ＣＱＩを送信するために使われ、ＰＵＣＣＨフォーマット２ａおよび２ｂは、ＣＱＩおよびＨＡＲＱ ＡＣＫ/ＮＡＣＫを送信するために使われる。ＨＡＲＱ ＡＣＫ/ＮＡＣＫが単独で送信される場合、ＰＵＣＣＨフォーマット１ａおよび１ｂが使われ、ＳＲが単独で送信される場合、ＰＵＣＣＨフォーマット１が使われる。そして、ＰＵＣＣＨフォーマット３は、ＴＤＤシステムだけでなく、ＦＤＤシステムのためにも使われることができる。
【００４２】
ここで、拡張物理ダウンリンク制御チャネル（enhanced PDCCH；ｅＰＤＣＣＨ）は、ＰＤＣＣＨ送信もしくは搬送波の新しいタイプを含む次世代通信システムの新しい制御情報送信のための制限の一つの解決策になることができる。ＰＤＳＣＨと多重化されたｅＰＤＣＣＨは、キャリアアグリゲーションの複数のＳＣｅｌｌをサポートするために、図４に示すように使われることができる。
【００４３】
図４を参照すると、端末は、制御領域および/もしくはデータ領域内で複数のＰＤＣＣＨ/ｅＰＤＣＣＨをモニタリングすることができる。ＰＤＣＣＨがＣＣＥ上で送信されるとき、ｅＰＤＣＣＨは、いくつかの連続するＣＣＥのアグリゲーションなどのｅＣＣＥ（enhanced CCE）上で送信されることができ、上記ｅＣＣＥは、複数のＲＥＧに対応する。ｅＰＤＣＣＨがＰＤＣＣＨより効率的な場合、ＰＤＣＣＨを使用せずにｅＰＤＣＣＨのみが使われるサブフレームを有することに価値がある。ＰＤＣＣＨおよび新しいｅＰＤＣＣＨのみのサブフレーム、もしくはｅＰＤＣＣＨのみを有するサブフレームは、レガシＬＴＥサブフレームを両方有するＮＣのような搬送波の新しいタイプである（The PDCCHs and new ePDCCH only subframes, or have only ePDCCH only subframes can be in a new type of carrier as NC which has both legacy LTE subframes）。ＭＢＳＦＮサブフレームがＮＣ（New Carrier）で存在すると依然として仮定する。ＮＣのＭＢＳＦＮサブフレームでＰＤＣＣＨを使用するかどうかと、使用する場合、ＯＦＤＭシンボルがいくつ割り当てられることができるかと、は、ＲＲＣシグナリングを介して設定されることができる。さらに、ＴＭ１０および新しいＴＭは、新しい搬送波タイプのためにも考慮されることができる。以後、新しい搬送波タイプは、全てのもしくは一部のレガシ信号が省略され、または、他の方法で送信される搬送波を示す。例えば、新しい搬送波は、ＣＲＳがあるサブフレームでは省略され、または、ＰＢＣＨが送信されない搬送波を意味する（refer）ことができる。
【００４４】
次世代ＬＴＥシステムもしくは拡張した通信システムのために、提案された実施例は、新しい搬送波セルの導入を提供することができるが、この新しい搬送波セルでは、提案された下位互換可能な（backward compatible）レガシ信号および/もしくはチャネルの全てもしくは一部は、複数のセル間における干渉問題の改善と搬送波拡張性の拡張と次世代の特徴の提供における自由度の増加との理由のため送信されない（For this next LTE system or enhanced communication system, this proposed embodiment provides that the new carrier cell may be introduced in which all or some of the proposed backward compatible legacy signals and/or channels are not transmitted for reasons of the improvement of an interference problem between a plurality of cells, the enhancement of carrier extensibility, and an increase in the degree of freedom in providing advanced features）。より詳しくは、本発明は、トラッキングおよびＲＲＭ測定のために使われるセル固有参照信号（Cell-specific RS；ＣＲＳ）が全く送信されない、またはレガシ搬送波とは異なるサブフレームのサブセットでのみ送信される場合を考慮する。便宜のために、本発明は、ＣＲＳもしくはトラッキングＲＳが５ｍｓｅｃ毎に、例えば、各無線フレームでサブフレーム＃０および＃５毎に送信される例を示す。より詳しくは、新しい搬送波は、ｅＮＢが、活性化された端末が付属しない（no active UE attached）ときもしくはパターンに基づいて送信をターンオフ（turn off）する場合、セルのオン/オフを実行する搬送波を示す。このように仮定する場合、本発明は、ＰＳＳ/ＳＳＳ/ＣＲＳもしくはＣＳＩ−ＲＳに基づくディスカバリ信号（discovery signals）が予め指定された値であるＴｍｓｅｃ毎に送信される例を示す。例えば、Ｔ＝２００もしくは２００以上である。
【００４５】
また、提案された実施例は、小型セルクラスタ内で効率的な送信をサポートする。より詳しくは、データフローおよびマクロ/小型セルキャリアアグリゲーション（ＣＡ）、サイト間ＣＡ（ＣＡ間）（inter-site CA）または端末に対する二重接続は、密集した小型セル配置がサポートされると仮定して、小型セルクラスタに属する小型セルに接続される。また、提案された実施例は、小型セルシナリオにおいて、ＩＣＩＣ（Inter-Cell Interference Coordination）を処理し、新しいセル選択基準を提案する技術を議論する。本発明で考慮されるシナリオは、マクロおよび小型セル層が２.６Ｇｈｚおよび３.５Ｇｈｚなどの互いに異なる周波数を各々使用し、小型セル層は、５×２０Ｍｈｚの連続する搬送波などの帯域幅搬送波を有すると主に仮定する。本発明は、このように主にマクロと小型セル層との間よりは小型セル間の干渉調整に集中する。
【００４６】
記述したように、提案された実施例は、不要なセル固有信号が、特定リソースでの干渉を最小化するために減少されることができると提案することができる。特定リソースは、予め指定された時間もしくは帯域と共に定義されることができる。それはサブキャリアの概念を含む。
【００４７】
以下、本実施例は、セル固有参照信号（ＣＲＳ）を伝達しないサブフレームが、例えば、新しい搬送波タイプ（ＮＣＴ、ｎｅｗ、ｎｏｎ−ＣＲＳ）サブフレームと呼ばれることができることを示す。説明のため、ＮＣＴサブフレームは、用語として使われることができる。この用語は、新しい名称および新しいシステムによって変更されて呼ばれることができる。ＮＣＴダウンリンクサブフレームは、以下のように定義されることができる。ＮＣＴサブフレームにおけるデータ復調/制御チャネル復調は、端末が設定される送信モードとは関係なく復調用参照信号（DeModulation Reference Signal；ＤＭ−ＲＳ）に基づく。また、このサブフレームにおける制御チャネル復調は、端末が設定される送信モードとは関係なくＤＭ−ＲＳに基づく。ＣＲＳは送信されなくてもよい。その代わりに、トラッキングＲＳもしくは他のＲＳは、端末の時間/周波数トラッキングを支援するために送信されることができる。レガシＰＤＣＣＨは、ＮＣＴサブフレームに存在しなくてもよい。端末は、ＥＰＤＣＣＨがこのようなサブフレームでモニタリングされると設定される場合、ＥＰＤＣＣＨをモニタリングすることができる。そうでない場合、端末は、ＮＣＴサブフレームで、どのダウンリンク制御チャネルもモニタリングすることができない。選択的に、端末は、ＮＣＴサブフレームでディスカバリ信号を受信することを依然として予想することができる。また、レガシＰＨＩＣＨだけでなく、ＰＨＩＣＨを処理するのに、端末はＰｃｅｌｌ ＰＨＩＣＨ（ＭｅＮＢ ＰＨＩＣＨもしくはスケジューリングセルＰＨＩＣＨ）をモニタリングすると仮定されるか、または、ＮＣＴサブフレームにおけるＥＰＨＩＣＨが仮定される（Also, legacy PHICH as well to handle PHICH, either a UE is assumed as it monitors PCell PHICH (or MeNB PHICH or scheduling cell PHICH) or EPHICH is assumed in the NCT subframes）。または、参照ＴＤＤ ＤＬ/ＵＬ設定は、アップリンクサブフレームに対するＰＨＩＣＨリソースのために使われるとして与えられることができる。即ち、参照ＴＤＤ ＤＬ/ＵＬ設定によって、あるＰＨＩＣＨは、特定サブフレームでアップリンク送信のために使用可能である。しかし、ＦＤＤが使われる場合、これは全てのアップリンク送信を処理することができない。レガシＰＣＦＩＣＨは、ＮＣＴサブフレーム内に存在しない（A Legacy PCFICH is not present in NCT subframe）。
【００４８】
さらに、アップリンクサブフレームは、ＮＣＴサブフレームのように取り扱われることができる。ＮＣＴアップリンクサブフレームの側面において、その使用は２個のフォールド（folds）（二面）でもよい。一つは、上記特徴を有するＮＣＴダウンリンクサブフレームとして使用する。または、アップリンクサブフレームのために使われることができる。アップリンクサブフレームのために使われる場合、ＮＣＴアップリンクの特徴は、次の通りである。ＮＣＴアップリンクは、スケジューリングのダウンリンクサブフレームもしくはＡｃｋ/Ｎａｃｋを送信するダウンリンクサブフレームを含むダウンリンクと関連付けられる（The NCT uplink is associated with a downlink including a scheduling downlink subframe or an Ack/Nack transmitting downlink subframe）。それはＮＣＴタイプに設定されることができる。ＮＣＴアップリンクのＰＵＳＣＨ、ＰＵＣＣＨのための電力制御は、ＮＣＴダウンリンクサブフレームで送信される電力制御命令に基づいて決定されることができる。より詳しくは、ＰＵＣＣＨは、ＮＣＴアップリンクサブフレームに存在しない。このように、対応するダウンリンク、例えば、ＦＤＤでＮ＋４番目のアップリンクが対応するＮ番目のダウンリンクサブフレームなどの対応するダウンリンクが、レガシ搬送波タイプの場合、ＨＡＲＱ−ＡＣＫは、ＰＵＳＣＨを介して送信されることができ、または、参照ＴＤＤ ＤＬ/ＵＬ ＨＡＲＱ−ＡＣＫタイミングは、レガシ搬送波タイプ送信のためのＨＡＲＱ−ＡＣＫが、ＰＵＣＣＨが使用可能なアップリンクサブフレーム（即ち、レガシアップリンクサブフレーム）で送信されることができるよう設定されることができる（Thus, if corresponding downlink, for example, in FDD, n+4th uplink will correspond to n-th downlink subframe is legacy carrier type, HARQ-ACK may be transmitted via PUSCH or a reference TDD DL/UL HARQ-ACK timing can be configured such that HARQ-ACK for the legacy carrier type transmission can be transmitted in PUCCH-available uplink subframe (i.e., legacy uplink subframe)）。
【００４９】
ＬＴＥシステムにおいて、Ｒｅｌ−１２による次世代端末は、ＬＣＴサブフレームタイプとＮＣＴサブフレームタイプとを分ける半静的（semi-static）アプローチを考慮するより、むしろ、ＬＣＴ（Legacy Carrier Type）サブフレームとＮＣＴ（New Carrier Type）サブフレームとの間でＴＤＭを実行する搬送波に接続することのみを考慮する。そのために、提案された実施例は、サブフレーム＃０/＃５がＬＣＴのために固定され、残りがＮＣＴ−ｃａｐａｂｌｅサブフレームに分類されることを含むプレフィックス（prefix）ＮＣＴ−ｃａｐａｂｌｅサブフレームを示す。ＭＢＳＦＮサブフレーム設定と類似する実際のＮＣＴ−ｃａｐａｂｌｅサブフレーム設定は、ＳＩＢもしくは上位層シグナリングにより与えられることができる。プレフィックシング（prefixing）ＮＣＴ−ｃａｐａｂｌｅサブフレームの側面で、ｎｏｎ−ＭＢＳＦＮ−ｃａｐａｂｌｅサブフレームは、設定と関係なくＬＣＴとして仮定されることができる。
【００５０】
または、ＮＣＴサブフレームのＳＩＢ送信もしくは上位層シグナリングは、定義されることができる。各セルは、ＳＩＢもしくはＲＲＣシグナリングを介してＮＣＴサブフレーム設定を知らせることができる。ＲＡＲ送信のためのＮＣＴサブフレームと関連付けられるＰＲＡＣＨサブフレームは、コンテンションベースのＰＲＡＣＨのための場合にのみ、ＰＲＡＣＨ送信のために使われることができない。しかし、ＲＡＲタイミングが柔軟なため、ＮＣＴサブフレームがいくつかのサブフレームより多く連続しない限り、ＰＲＡＣＨ送信を避けることは不要である。即ち、ＲＡＲがＲＡＲウィンドウ内で送信されることができる限り、ＰＲＡＣＨ制限は不要である。ＰＲＡＣＨ設定がアップリンクサブフレームを避けることができない場合、ＲＡＲタイミングサブフレームはＮＣＴサブフレームである。あるｐａｇｉｎｇ−ｃａｐａｂｌｅサブフレームがＮＣＴタイプとして設定される場合、端末は、このサブフレームがページング（paging）を伝達しないと仮定することができる。端末は、ＭＢＳＦＮサブフレームがＮＣＴサブフレームで仮定されないとさらに仮定することができる。しかし、これはＭＢＭＳがこのようなサブフレームで伝達されないということを意味するものではない。
【００５１】
端末がＥＰＤＣＣＨセットによって設定される場合、ＥＰＤＣＣＨをモニタリングするために設定されたサブフレームがＮＣＴ−ｃａｐａｂｌｅサブフレームであると仮定し、ＮＣＴ−ｃａｐａｂｌｅサブフレームは、ＥＰＤＣＣＨ設定毎に設定されることができると仮定する。しかし、ＣＲＳが上記サブフレームに存在する場合、端末は、上記サブフレームがＮＣＴ−ｃａｐａｂｌｅサブフレームであると仮定しないということにさらに価値がある。このようなオプションを使用すると、端末は、Ｓｃｅｌｌ設定でＥＰＤＣＣＨセットによって設定され、もしくは支援ｅＮＢ搬送波に付属することができる（Using this option, a UE can be configured with EPDCCH set at SCell configuration or attaching assisting eNB carrier）。ＥＰＤＣＣＨセット設定が与えられない場合、端末は、ＳＦ＃０がＬＣＴタイプであると仮定し、他のサブフレームがＮＣＴタイプであると仮定することができる。
【００５２】
ＳＩＢもしくは上位層シグナリングのうち一つを介して、ダウンリンクサブフレームがＬＣＴタイプとして仮定される場合、参照ＴＤＤ設定も与えられることができる。例えば、参照ＴＤＤ設定がＦＤＤ搬送波に与えられる場合、ＴＤＤ ＵＬ/ＤＬ設定でダウンリンクサブフレームはＬＣＴとして仮定され、残りはＮＣＴとして仮定される。ＴＤＤに対し、ＳＩＢ−ｅｄ ＵＬ/ＤＬ設定および参照ＵＬ/ＤＬ設定の両方ともで、ダウンリンクサブフレームはＬＣＴとして仮定されることができ、残りのサブフレームはＮＣＴとして仮定されることができる。ＨＡＲＱ−ＡＣＫを処理する側面で、ＮＣＴサブフレームは、端末がＥＰＤＣＣＨのみをモニタリングすると仮定する。これが発生すると、ＮＣＴが設定される場合、ページングサブフレームは、ページング送信またはＳＩＢもしくは共通サーチスペース（Common Search Space；ＣＳＳ）送信のために使われることができない。しかし、ＴＤＤ ＤＬ/ＵＬ設定で特別サブフレームがダウンリンクサブフレームとして考慮されることができることを知ることができる。このように、ＤＭ−ＲＳパターンおよび特別なサブフレームで適用される特別な処理であるとしても、この場合に適用することができない。この設定は、適用可能な場合、ＬＣＴタイプサブフレームおよび関連付けられたＨＡＲＱ−ＡＣＫタイミングを識別するためにのみ使われる。これが適用される場合、ＨＡＲＱ−ＡＣＫ送信は、ＮＣＴサブフレームがＬＣＴタイプサブフレームと別個のＨＡＲＱ−ＡＣＫタイミングを使用するか、もしくは別個に動作する、ＬＣＴタイプサブフレームのためのＴＤＤ ＤＬ/ＵＬ設定に従う（If this is applied, HARQ-ACK transmission may also follow TDD DL/UL configuration for LCT type subframes where NCT subframes may use separate HARQ-ACK timing or operate separately from LCT type subframes）。または、ＤＬ/ＵＬ設定は、サブフレームタイプの決定にのみ（このようにＣＲＳの存在の決定にも）使われることができる。その場合、設定されたＤＬ/ＵＬサブフレームでのダウンリンクに対応するアップリンクサブフレームは、ＰＨＩＣＨが送信されないと仮定することができ、このように、ＰＨＩＣＨ−ｌｅｓｓ動作は仮定される。または、ＰＨＩＣＨがＰｃｅｌｌもしくはスケジューリングセルもしくはＥＰＨＩＣＨから送信されることができる。
【００５３】
これに対し、ディスカバリ信号は使われることができる。ディスカバリ信号が搬送波により送信される場合、ディスカバリ/測定信号を送信するサブフレームがＬＣＴであり、他のサブフレームはＮＣＴとして仮定されることもできる。この場合、ＳＩＢおよび他のＣＳＳデータの送信がＬＣＴサブフレームと調整される（同調される）（aligned with）ことができる。時間/周波数トラッキングをサポートするために、時間/周波数トラッキングＲＳを送信するサブフレームがＬＣＴとして考慮されることができ、残りがＮＣＴであるとさらに仮定されることができる。
【００５４】
さらに、この仮定は、ＳｃｅｌｌｓもしくはｅＮＢを支援するための搬送波として設定される搬送波にのみ適用されることができる。その場合、サブフレームタイプの設定が、ＲＲＣなどのシグナリングを介して端末に与えられることができるとさらに仮定することができる。ＮＣＴサブフレームおよびＬＣＴサブフレームにおける端末動作の側面で、端末は、その設定に応じてＮＣＴサブフレームでディスカバリ信号もしくは測定信号を除いた他の信号を受信することを期待しない。ＬＣＴサブフレームにＣＲＳが存在すると仮定されることができ、それに対し、ＮＣＴサブフレームにＣＲＳが存在すると仮定されない。
【００５５】
ＮＣＴ−ｃａｐａｂｌｅサブフレームにおいて、このようなサブフレームで端末がＣＳＳを受信することを期待しない場合、サブフレームタイプはＮＣＴであると仮定されることができる。ＮＣＴにおいて、端末は、必要な場合、ＥＰＤＣＣＨを読むことを期待する。間欠受信（Discontinuous Reception；ＤＲＸ）でも、端末は、そのサブフレームタイプもしくはその端末固有サーチスペース（User-Specific Search Space；ＵＳＳ）のための設定に応じて、ＰＤＣＣＨもしくはＥＰＤＣＣＨのうち一つをモニタリングすることができる。ＣＳＳに関して、端末は、ＬＣＴサブフレームでＰＤＣＣＨをモニタリングする。さらに、端末は、それが設定されない場合、ＮＣＴサブフレームで測定（ＲＲＭ、ＲＬＭ）を実行することを期待しない。その代わりに、端末は、ＬＣＴ/ＮＣＴサブフレームの設定と関係なく、ＮＣＴサブフレームでＲＲＭなどの測定のみを設定することができる。ＮＣＴタイプとＬＣＴタイプとの半静的な変更が発生する場合、端末は、ＲＲＭを実行しないか、もしくはＮＣＴデュレーション（継続期間）でディスカバリ信号に基づく異なるＲＲＭを実行する（If semi-static change of NCT and LCT type occurs, a UE may not perform RRM or perform different RRM based on discovery signal in NCT duration）。レガシ端末、または、レガシ端末のように動作するか、もしくは設計の影響を最小化する次世代端末をサポートするために、レガシ搬送波タイプサブフレームと新しい搬送波タイプサブフレームとを多重化することが考慮されることができる。多重化もしくはフレームタイプの複数のアプローチは、下記のように考慮されることができる（A multiple approaches of multiplexing or frame type can be considered as follows）。
【００５６】
このようなアプローチが次世代端末のために使われる場合、次世代端末は、測定信号が、オンデュレーション（onduration）、活性化時間もしくはＬＣＴ−オン−デュレーションでないＤＲＸ周期で使用可能でないと仮定しなければならない。このように、測定サブフレームは、ＤＲＸ周期によって活性化サブフレームに制限されることができる。ＳＩＢ送信がＬＣＴサブフレームに制限されることが予想される。
【００５７】
図５は、本発明が適用されるモニタリングサブフレーム設定の一例を示す。
【００５８】
図５を参照すると、モニタリングサブフレーム設定は、無線フレーム内でＴＤＭタイプによって設定される。Ｌはレガシ搬送波タイプを指示し、Ｎは新しい搬送波タイプを指示する場合、例として｛ＬＬＮＮＬＬＮＮＬＬ｝を挙げる。レガシ端末は、ＮサブフレームでＤＲＸ（Discontinuous Reception）動作をすると設定される。ＴＤＤ設定では、モニタリングサブフレーム設定に関するサブフレームタイプおよびＵＬ/ＤＬ設定に関して、別個の設定が与えられることができる。例えば、モニタリングサブフレーム設定０としてＵＬ/ＤＬ設定０を有するＬ/Ｎ設定０は、５番目のアップリンクがレガシ搬送波タイプであり、３、４番目のアップリンクが新しい搬送波タイプであることを指示する。または、組み合わされた組合せも定義されることができる。また、ＴＤＭは、オールモストブランクサブフレーム（Almost Blank Subframes；ＡＢＳ）設定レベルで設定されることができる。即ち、ＡＢＳ設定と類似する設定は、ＬＣＴとＮＣＴとの間にＴＤＭを設定するのに使われることができる。ＡＢＳ設定との相違点は、ＬＣＴ/ＮＣＴの設定が端末に指示されるという点である。
【００５９】
ＡＢＳと同様に、レガシサブフレームのみが指示されるか、もしくはビットマップを使用して新しい搬送波サブフレームが指示される。より詳しくは、ＦＤＤとＴＤ−ＬＴＥとのＡＢＳパターンは異なる。また、ＴＤＤでも、異なるＴＤＤ設定のＡＢＳパターンは異なる。ＡＢＳパターンは、ビットマップにより指示される。ＦＤＤに対して４０ビット（４無線フレーム周期）であり、ＴＤＤ設定１〜５に対して２０ビット（２無線フレーム周期）であり、ＴＤＤ設定０に対して７０ビット（７無線周期）であり、ＴＤＤ設定６に対して６０ビット（６無線周期）である。レガシサブフレーム指示が使われる場合、関連付けられたアップリンクは、ビットマップにそのように指示されないとしてもレガシ搬送波タイプである。例えば、ＦＤＤで、ｎ番目のサブフレームは、ＬＣＴサブフレームであり、アップリンクで、ｎ＋４番目のサブフレームは、ＬＣＴサブフレームである。他の指示されないサブフレームは、ＮＣＴであると仮定される。
【００６０】
さらに、開始オフセット（starting offset）、デュレーション（duration）および周期を使用するＴＤＭ（a TDM using starting offset and duration and period）は、モニタリングサブフレームのために使われることができる。図６および図７は、本発明が適用される搬送波タイプの活性化時間を有するモニタリングサブフレーム設定の例を示す。
【００６１】
図６を参照すると、開始オフセット、デュレーションおよび周期を使用したＤＲＸ設定と類似するＴＤＭを設定することは、他のアプローチである。この場合、新しい搬送波タイプは、任意の時間に開始され、特定時間持続される。ＤＲＸと同様に、次世代端末は、ＰＤＣＣＨ６１０もしくはＣＲＳを位置決めする（locate）ことによって、まず、ＬＣＴサブフレームの復調を試みる。ｌｃｔ非活性化タイマが満了する場合、即ち、ＰＤＣＣＨもしくはＣＲＳをｌｃｔ非活性化タイマのデュレーション６６５の間に見つけることができない場合、ＮＣＴサブフレームタイプは、ｎｃｔデュレーションタイマ６７０のために使われることができると仮定する。ＴＤＭ周期毎にオンデュレーションタイマでＰＤＣＣＨを読んだり、もしくはＣＲＳを復調したりすることを試みる。
【００６２】
記述したように、次世代端末は、ＬＣＴオンデュレーションが、ＰＤＣＣＨ６１０を位置決めすることによって、特定サブフレーム６５０（specific subframes(650)）で活性化されるよう制御し、そして、ＬＣＴ−非活性化タイマ６６０を確認し、ＬＣＴ−非活性化タイマが満了６６５すると、ＮＣＴサブフレームタイプ６７０であると仮定されたｎｃｔデュレーション周期中、残りのサブフレームでＰＤＣＣＨをモニタリングする必要がない。ｎｃｔデュレーションタイマが満了すると、端末は、ＴＤＭ周期に基づいてＰＤＣＣＨを位置決めするためのＬＣＴサブフレーム６１１を確認する。
【００６３】
より包括的には、端末は、ＰＤＣＣＨが自体に対してスケジューリングされない限りＰＤＣＣＨを含むサブフレーム（即ち、ＬＣＴサブフレーム）を仮定することができない場合を処理するために、ＰＤＣＣＨを位置決めする代わりにＰＣＦＩＣＨもしくはＣＲＳを読むことができる（To be more generic to handle a case when a UE cannot assume to PDCCH contained subframe (i.e., LCT subframe) unless PDCCH is scheduled to itself, the UE can read PCFICH or CRS instead of locating the PDCCH）。ＰＣＦＩＣＨもしくはＣＲＳを成功裏に復調することができる場合、サブフレームは、ＰＤＣＣＨを伝達し、このようにレガシサブフレームとして仮定されると考慮される。ＣＲＳが送信されても位置決めするＰＣＦＩＣＨがない場合、上記サブフレームは、ＬＣＴとＮＣＴとの間で移行（通過）（transit）するのに使われる‘非活性化（非アクティブ）（inactive）’サブフレームであると仮定することができる。この実施例は、非活性化サブフレームにおけるｅＰＤＣＣＨの開始シンボルが、ＰＤＣＣＨを伝達しないとしても、ＬＣＴ設定に従うことを知ることができる。次世代端末がｎ番目のサブフレームからＰＣＦＩＣＨを検知するのに成功すると、ｎ＋４、ｎ＋８番目,...は、ｎｃｔデュレーション（即ち、サブフレームタイプがＮＣＴに設定される）中であっても、ＬＣＴサブフレームであると仮定する。
【００６４】
即ち、ＮＣＴタイプによって設定された周期であるとしも、レガシ端末が特定サブフレームでサポートされる場合、このようなサブフレームは、ＬＣＴタイプによって送信される。ＰＣＦＩＣＨ信頼問題を緩和させるために（端末が、これが送信されるとしても、ＰＣＦＩＣＨの復調に成功しない場合）、ｌｃｔ非活性化タイマは、２ｍｓｅｃと同じかもしくはより大きい。ＮＣＴデュレーションで、端末は、ＰＢＣＨを受信することを期待しない。しかし、ＭＩＢもしくはＳＩＢなどのシステム情報を含むことができる、ＤＭ−ＲＳベースのＰＢＣＨ、または他のセルブロードキャストチャネルを受信することは実現可能である（It is however feasible to receive DM-RS based PBCH or any other cell-broadcast channel which may contain system information such as MIB or SIB）。または、端末は、ｎｃｔデュレーションの場合であっても、ＰＢＣＨを伝達するサブフレームがＬＣＴサブフレームであると仮定することができる。端末は、レガシ端末により使われるページング設定を使用して知らされることによって、このようなページングサブフレーム７０２は、ｎｃｔデュレーションの場合であっても、ＬＣＴサブフレームとして仮定されることができる。ＤＲＸ設定と類似するモニタリングサブフレーム設定と共に、レガシ端末の一例を図７に示す。
【００６５】
本実施例は、ＰＤＣＣＨもしくはｅＰＤＣＣＨを伝達することができるＬＣＴサブフレームを設定することをサポートする。他のサブフレームは、設定される場合、ＰＤＳＣＨもしくはｅＰＤＣＣＨのみを伝達することができる。これはＥＰＤＣＣＨセット設定を介しても遂行することができる。クロスサブフレーム（cross-subframe）スケジューリングが使われる場合、ＬＣＴサブフレームでスケジュールされるＤＣＩは、ＰＤＳＣＨが送信される搬送波タイプを定義することができる（DCI scheduled in LCT subframes can define the carrier type where PDSCH is transmitted）。例えば、ｎ番目のＬＣＴサブフレームがＮＣＴ指示によってｎ＋４番目のサブフレームに対してＰＤＳＣＨをスケジュールする場合、端末は、ＰＤＳＣＨがＮＣＴ ＳＦタイプのｎ＋４番目のサブフレームでスケジューリングされることができると仮定することができる。即ち、ＰＤＳＣＨ開始シンボルは、０（zero）であり、データ復調は、ＤＭ−ＲＳに基づいて実行される。これは、各ｅＰＤＣＣＨが搬送波タイプおよび送信モードによって設定されることができるｅＰＤＣＣＨセットによって設定されることができる。
【００６６】
さらに、他のアプローチは、ＰＤＣＣＨもしくは他のレガシ信号との潜在的な衝突を回避するために、４番目のＯＦＤＭシンボルもしくは最後のＯＦＤＭシンボルに配置されることができるＰＣＦＩＣＨに類似するシグナリング（PCFICH-like signaling）を使用する。０もしくは１は、ＬＣＴもしくはＮＣＴの各々のために指示されることができる。ＣＲＳもしくはトラッキングＲＳが存在するかどうかを効率的に決定するために、このような指示は、それ自体に適用される代わりに連続する（次の）（successive）サブフレームのために使われることができる。即ち、０がｎ番目のサブフレームで示される場合、ＦＤＤにおけるｎ＋１番目のサブフレームはＬＣＴに仮定される。ＴＤＤにおいて、次のダウンリンクサブフレームタイプは、上記指示により決定され、アップリンクのタイプは、関連付けられたダウンリンクサブフレームタイプにより決定される。ＤＲＸから端末をウェイクアップ（wake-up）することを処理するために、端末は、１番目のダウンリンクサブフレームでＬＣＴタイプを仮定しなければならず、ＣＲＳおよび他のレガシ信号を復調することを試みなければならない。少なくとも、それは次のサブフレームのタイプを決定するためにＬＣＴ/ＮＣＴタイプ指示信号を読まなければならない。
【００６７】
または、他のアプローチは、全てのサブフレームタイプが次世代端末のためのＭＢＳＦＮサブフレームであると仮定する。ｅＭＢＳＦＮ（enhanced MBSFN）サブフレームは、ＰＤＳＣＨが送信される場合、ブランクサブフレーム（blank subframe）として考慮されることができる。即ち、ＭＢＳＦＮ設定によって、次世代端末は、ｎｏｎ−ＭＢＳＦＮサブフレームが少なくとも一つもしくは二つのＯＦＤＭシンボルでＣＲＳを伝達すると仮定され、ｅＭＢＳＦＮと呼ばれるＭＢＳＦＮサブフレームは、ＣＲＳを全く伝達しない。ｎｏｎ−ＭＢＳＦＮサブフレームにおいて、残りのＯＦＤＭシンボル （３−１３）におけるＣＲＳ送信は、ＰＤＣＣＨ/ＰＣＦＩＣＨを読むことによって決定されることができる。レガシ端末に対し、ｎｏｎ−ＭＢＳＦＮサブフレームは、ＤＲＸと共に使われることができる。他のアプローチは、全てのＭＢＳＦＮサブフレームもしくはＭＢＳＦＮ−設定可能なサブフレームがＮＣＴタイプサブフレームであると仮定する。他のサブフレームは、無線フレーム毎にＮＣＴもしくはＬＣＴのうち一つになることができる。無線フレームが全体としてＮＣＴのために使われる場合、ＰＢＣＨはサブフレーム＃０で検知されないか、もしくは特定フィールドが無線フレームのタイプを指示するために使われることができる。
【００６８】
また、他のアプローチは、ＡＢＳサブフレームがＸ２シグナリングを介してセルの中で使われることができるＮＣＴタイプサブフレームであると仮定する。情報は、サブフレームシフトを決定するために使われることができ、または、ＡＢＳ設定と類似するＮＣＴタイプおよびＬＣＴタイプのサブセットを決定するために使われることができる。
【００６９】
本実施例は、モニタリングサブフレーム設定などのサブフレームタイプのシグナリングを示す。三つのシグナリング方法が考慮されることができる。第一に、ＰＢＣＨもしくはＳＩＢが使われることができ、ＬＣＴおよびＮＣＴ ＳＦ設定は、ＰＢＣＨもしくはＳＩＢによりブロードキャストされることができる。または、ＲＲＣシグナリングなどの上位層シグナリングもしくはページングが使われることができる。または、ＤＣＩもしくは他のシグナリングと共に動的（dynamic）シグナリングがサブフレームタイプを変更するために使われることができる。
【００７０】
ＮＣＴおよびＬＣＴサブフレームが設定される場合、本実施例は、処理される他のレガシチャネルおよび異なるタイプのサブフレームをさらに示す（this embodiment further shows that other legacy channels and different type of subframes to be handled）。ＭＢＳＦＮサブフレームに対し、ＳＩＢによりブロードキャストされるＭＢＳＦＮサブフレーム設定は、レガシ端末にのみ適用可能になるよう制限されることができる。即ち、次世代端末は、他のｅＭＢＳＦＮサブフレーム設定が与えられない場合、このようなサブフレームがＭＢＳＦＮサブフレームのために使われることを仮定することができない。即ち、ＳＩＢもしくは他の上位層シグナリングによりブロードキャストされるｅＭＢＳＦＮサブフレーム設定がある場合、次世代端末のためにＭＢＳＦＮ設定を無視する（override）。ｅＭＢＳＦＮサブフレームは、どんなＣＲＳであるとしても伝達せず、ＰＭＣＨは、ＯＦＤＭシンボル０から開始されることができる。または、ｅＭＢＳＦＮサブフレームがＰＤＳＣＨの伝達に使われる場合、ＯＦＤＭシンボル０で開始されることもできる。レガシ端末のために設定されたＭＢＳＦＮサブフレームでは、レガシＭＢＳＦＮサブフレームのデザインに従う。即ち、ＰＤＣＣＨおよびＣＲＳのために使われる一つもしくは二つのＯＦＤＭシンボルは、一つもしくは二つのＯＦＤＭシンボルに存在する。ＮＣＴデュレーションで（即ち、デュレーションにおけるサブフレームタイプをＮＣＴとして設定する）、レガシＭＢＳＦＮサブフレームが設定される場合、次世代端末は、このようなサブフレームのタイプが新しい搬送波タイプの代わりにレガシ搬送波タイプのためのものであることを仮定しなければならない。
【００７１】
ＮＣＴデュレーションで、レガシ端末のためのページングサブフレームは、レガシ搬送波タイプとして仮定される。その代わりに、ＮＣＴ ＳＦがＳＩＢ/ＰＢＣＨもしくはハンドオーバ命令およびＲＲＣシグナリングにより与えられる場合、端末は、ページングがこのようなＮＣＴサブフレームで送信されないと仮定することができる。そのために、レガシページングサブフレームのビットマップが次世代端末に上位層シグナリングされることができ、もしくはレガシ端末のためのページング設定がレガシ端末に上位層シグナリングされることができ、もしくはプレフィックスされた（prefixed）ページング設定のセットがＮＣＴ/ＬＣＴ多重化モードでレガシ端末のために残される。これをサポートするために、ページング設定のセットがレガシ端末のために使われるかどうかに対する指示は、上位層シグナリングもしくはＳＩＢを介して次世代端末に与えられる。また、ＣＲＳベースのＰＢＣＨ（CRS-based PBCH）は送信されない。その代わりに、ＤＭ−ＲＳベースのＰＢＣＨは送信されることができる。
【００７２】
ＳＩＢ送信に対し、ＮＣＴデュレーションにレガシＳＩＢが存在すると仮定されない。例外的に、ＳＩＢアップデートがトリガされる場合、ＮＣＴデュレーションは終了され、ＬＣＴデュレーションに再設定される。
【００７３】
ＮＣＴデュレーションが設定され、ＮＣＴとＬＣＴとの間の半静的ＴＤＭが使われる場合、トラッキングＲＳ送信は５ｍｓｅｃ毎に仮定されることができる。ＬＣＴサブフレームが十分に頻繁にある場合、ＬＣＴサブフレームで送信されるＣＲＳを使用するトラッキングが十分なため必須ではない。ＬＣＴとＮＣＴとが無線フレーム内で多重化される場合、トラッキングＲＳは、ＮＣＴサブフレームタイプにおいてまったく送信されない。ＰＨＩＣＨは、レガシ搬送波タイプのために設定されるサブフレームを除いてＮＣＴデュレーションで送信されない。ＰＳＳ/ＳＳＳに関し、ＮＣＴデュレーションであるとしても、休止もしくは非活性化状態に設定されない場合、ＰＳＳ/ＳＳＳは送信されることができる。その代わりに、ＮＣＴサブフレームがオフ状態（off state）として考慮される場合、レガシ信号がＮＣＴサブフレームに存在しないと仮定されることができる。ディスカバリ/測定信号および/もしくはＥＰＤＣＣＨ/ＰＤＳＣＨのみがＮＣＴサブフレームで送信されることができる。
【００７４】
さらに、本発明は、多重化されたＬＣＴおよびＮＣＴタイプを処理する他の問題を示す（Furthermore, this invention shows that other issues to handle multiplexed LCT and NCT types are）。ＴＭ設定で、ＮＣＴサブフレームタイプに設定可能なＴＭは、ＬＣＴのためのＴＭとは異なる。別個のＴＭが、ＮＣＴ ＳＦタイプとＬＣＴ ＳＦタイプとのために設定されることができる。ＮＣＴデュレーションで、ＬＣＴサブフレームタイプがレガシ端末をサポートするために使われる場合、ＮＣＴのために設定されるＴＭが使われるか、もしくは、ＬＣＴのために設定されるＴＭが使われることができる。次世代端末のために、使われる実際のサブフレームタイプと関係なく、ＮＣＴデュレーションでＮＣＴのために設定されるＴＭを使用することは好ましい。
【００７５】
別個のＥＰＤＣＣＨセットが、サブフレームの異なるタイプのために設定されることができる。２個の仮想のセルと同様に、一つはレガシタイプサブフレームであり、残りの一つはＮＣＴサブフレームである、２個のＥＰＤＣＣＨセットは、サブフレームのサブセットの各タイプのために各々設定されることができる。または、全体として２個のＥＰＤＣＣＨは、各ＥＰＤＣＣＨセットがＮＣＴもしくはＬＣＴと関連している場合に設定されることができる。ＮＣＴデュレーションで、ＬＣＴ ＳＦが使われ、上記サブフレームでＥＰＤＣＣＨをモニタリングするために設定されない場合、ＥＰＤＣＣＨは使われない。ＬＣＴおよびＮＣＴサブフレームタイプが共存する場合、ＤＭ−ＲＳベースのＰＢＣＨ（DM-RS based PBCH）は、上位層シグナリングにより指示されない場合に存在しない。ＳＩ−ＲＮＴＩ、Ｐ−ＲＮＴＩなどは、ＮＣＴ ＳＦがＥＰＤＣＣＨ ＣＳＳもしくはダウンリンク共通シグナリングをサポートするために必要でない場合であるとしても、ＬＣＴ ＳＦに制限されることもできる。
【００７６】
別個のＣＳＩ−ＲＳ設定が、ＬＣＴサブフレームとＮＣＴサブフレームとに対して与えられることができる。異なる設定インデックスを有する２個のＣＳＩ−ＲＳ設定は、各ＣＳＩ−ＲＳリソースがＬＣＴもしくはＮＣＴのうち一つと関連している場合に与えられることができる。ＮＣＴデュレーションで、上記サブフレームでＬＣＴ ＳＦが存在し、ＣＳＩ−ＲＳが存在する場合にも、ＮＣＴ ＳＦのために設定されるＣＳＩ−ＲＳリソースは、上記サブフレームで仮定される。２個のＣＳＩ−ＲＳ設定を有する理由は、干渉測定のために使われる柔軟なリソース設定を可能にするためである。したがって、このようなＮＣＴサブフレームの場合である。
【００７７】
ＣＳＩ−ＲＳ設定と同様に、別個のＩＭＲ設定が、ＬＣＴサブフレームとＮＣＴサブフレームとに与えられることができる。さらに、ＬＣＴとＮＣＴとのために使用可能なＣＳＩ−ＲＳ設定のセットおよびＩＭＲ設定は、各々、互いに異なる（Moreover, the set of CSI-RS configurations and IMR configurations usable for LCT and NCT respectively can be different）。
【００７８】
２個の異なるＤＭ−ＲＳパターンは、ＬＣＴサブフレームとＮＣＴサブフレームとのために使われることができる。ＬＣＴに対しては、設定されない場合、レガシＤＭ−ＲＳパターンが仮定される。ＮＣＴサブフレームに対しては、一つもしくは複数のＤＭ−ＲＳパターンが、通常および特別サブフレームのために設定されることができる。さらに、ＮＣＴデュレーションもしくはＮＣＴサブフレームにおけるＥＰＤＣＣＨ ＤＭ−ＲＳのためのリソースマッピングおよびアンテナマッピングは、別個に設定され、またはプレフィックスされたレガシパターンと異なることができる。これはアップリンクにも適用する。
【００７９】
パラメータに関連したダウンリンク電力制御において、ＰＡなどの別個のＤＬ電力制御パラメータは、ＮＣＴサブフレームのために設定されることができる。ダウンリンク電力制御パラメータは、トラッキングＲＳ帯域幅、ＴＲＳブースティング（boosting）、ＤＭ−ＲＳブースティング、ＣＳＩ−ＲＳブースティング、多様なスキームを送信するためのアンテナマッピング、送信電力、ＣＲＳもしくはＴＲＳとＰＤＳＣＨとの間の電力比率、またはＰＤＳＣＨとＣＳＩ−ＲＳとの間の電力比率を含むことができる。
【００８０】
ＬＣＴおよびＮＣＴサブフレーム設定情報のセットは、セル間で交換する。同様に、ＡＢＳシグナリングもしくは新しいバックホールシグナリング（backhaul signaling）は、ＮＣＴサブフレーム設定のリストを交換するために使われることができ、他の隣接セルは、ＣＲＳ/ＰＳＳ/ＳＳＳ/ＰＢＣＨ取消および他のセル間の干渉調整メカニズムのための情報を使用する。情報は、休止/非活性化状態情報と共に送信されることができ、他の隣接セルは、干渉を最小化するために必要なスケジューリングを実行することができる。各小型セルでサポートされるレガシ端末の個数は交換されることができるため、レガシ端末の個数が少ない小型セルは、このような端末を隣接セルにハンドオーバすることができ、レガシ端末が多すぎるセルは、ロード（load）が少なくレガシ端末の個数が少ない小型セルにレガシ端末をハンドオーバすることができる。ローディング（loading）に関する情報は、各セルがサポートするレガシおよび次世代端末の個数と共に交換される。ＬＣＴタイプおよびＮＣＴタイプＳＦの一部（割合（fraction））は、セル間でも交換されることができる。
【００８１】
レガシ端末および次世代端末の各々のために使われる別個のＰＲＡＣＨ設定は、ブロードキャストされることができる。多くの次世代端末がある場合、レガシ端末のためのＰＲＡＣＨ設定は、長い間隔（interval）としたがってより少ない使用可能ＲＡＣＨリソースとで、およびその反対で、潜在的なレガシ端末に応じて選択されることができる。各端末のための別個のＰＲＡＣＨ設定は、ＲＡＲおよびｅＮＢとＵＥとの間の連続送信を決定するために使われることができる。さらに、次世代端末のためのＰＲＡＣＨは、必要な帯域幅などに関連する情報などの他の必要な情報を含むことができるため、ｅＮＢが予めアドミッション（承認）（admission）制御を実行することができる。
【００８２】
ＡＢＳ設定を有するＣＳＩ０およびＣＳＩ１と同様に（Similar to CSI0 and CSI1 with ABS configuration）、別個のＣＳＩ測定およびフィードバックが、各タイプのサブフレームのための端末により報告される。このように、アップリンクＣＳＩフィードバックのために有効なダウンリンクサブフレームの候補は、アップリンクサブフレームタイプにより決定される。ＮＣＴの場合、ＮＣＴダウンリンクサブフレームのみが有効なダウンリンクサブフレームとして考慮され、その反対に、ＬＣＴに関しても同様である。ＡＢＳが設定される場合、ＮＣＴによるＡＢＳ（ABS with NCT）は、ブランクサブフレームである。このように、合計４個のＣＳＩ測定およびフィードバックが設定されることができる。ＮＣＴデュレーションにおいて、ＬＣＴ ＣＳＩ−ＲＳにおけるＣＳＩ測定は、ＬＣＴサブフレームが存在するかどうかと関係なく実行されない。このように（This way）、時間スケール（scale）が長い場合、端末が維持すべきＣＳＩ手順の個数は、ＡＢＳおよび異なるサブフレームタイプをサポートするために２個に維持されることができる。
【００８３】
ＰＵＣＣＨオフセットは、ＬＣＴ ＳＦとＮＣＴ ＳＦとのために別個に設定されることができる。ＴＤＤが使われる場合、ＨＡＲＱ−ＡＣＫは、サブフレームタイプと関係なくＴＤＤタイミングに従う。ダウンリンクと同様に、アップリンクは、ｄｉｆｆｅｒｅｎｔ−ｓｉｔｅ/ｅＮＢにおいて他のＰｃｅｌｌもしくはＣＣのために使われることができる異なるＣＣのためのアップリンク送信のために使われることができる一つのＣＣのためのブランクサブフレームを有することができる。
【００８４】
ＵＬ電力制御、同じタイプを有するアップリンク（uplink with the same type）と関連したダウンリンクサブフレームで与えられるＴＰＣは、アップリンク送信のための電力を制御するために使われる。ＰＲＡＣＨ送信、次世代端末は、一つがレガシ端末のために、残りの一つが次世代端末のために、２個のＰＲＡＣＨ設定によって設定されることができる。次世代端末が実行しやすい動作のタイプによって、レガシ端末ＰＲＡＣＨ設定もしくは次世代端末ＰＲＡＣＨ設定の中から一つを選択することができる。デフォルト（default）によると、ｅＮＢは、レガシＰＲＡＣＨ設定を使用する端末はレガシ端末であると仮定する（それに対し、次世代ＰＲＡＣＨ設定を使用する端末は次世代端末であると仮定する）。ＲＡＲによりスケジューリングされるＰＵＳＣＨにおけるシグナリングまたは他のアップリンクシグナリングもしくは容量（能力）（capability）シグナリングによって、タイプは変更されることができる。
【００８５】
レガシＳＦタイプを使用するためのセル間調整に関して（Regarding inter-cell coordination to use legacy SF type）、隣接セルは、ＴＤＭファッション（fashion）もしくはＦＤＭファッションでレガシＳＦタイプを使用して調整することができる。ＬＣＴとＮＣＴとの間で、ＴＤＭ周期は１秒であり、ＬＣＴの周期は１００ｍｓｅｃであると仮定する。セルＩＤ Ｃ１を有するセルのためのＬＣＴ周期は、セルＩＤに基づいて[１００＊（Ｃ１％１０）,１００＊（Ｃ１％１０＋１）]になるように、隣接セルは、異なるタイムラインでＬＣＴを使用することができる。レガシ端末をシームレスに（滑らかに）（seamlessly）サポートするために、セルＩＤを使用する代わりに、各セルは、ＬＣＴデュレーションを決定し、同じセルＩＤを使用するために仮想のセルＩＤを使用することができ、各レガシ端末は、シームレス（滑らかな）送/受信をサポートするために他の隣接セルに切り替えられる（スイッチされる）ことができる。例えば、セル１は[０,９９]でＬＣＴを使用し、セル２は[１００,１９９]でＬＣＴを使用し、レガシ端末は、[０,９９]でセル１によりサービスを受ける（提供される）（served）ことができ、セル２に切り替えられることができ、[１００,１９９]でサービスを受けることができる。
【００８６】
ＮＣＴが使われない場合、その代わりに、ＬＣＴもしくはブランクサブフレームが使われ、ＤＲＸ設定における拡張（enhancement）が考慮されることができる。一つのアプローチは、再送信タイマ＝０もしくは長いＤＲＸ周期もしくはより柔軟なＤＲＸ周期デュレーション設定などの装置間の干渉調整のために使われるＤＲＸ設定を使用する。ＤＲＸと共に、短いＤＲＸ周期は、端末がＣＲＳを検知すると短いＤＲＸをアボート（中断）することができる場合、ブランクサブフレームによって使われることができる（With DRX, shortDRX cycle can be used with blank subframe where short DRX can be aborted if a UE detects CRS）。または、タイマが満了する場合、ＤＲＸタイマと類似する他のタイマが設定されることができる（another timer can be configured similar to DRX timer where that timer expires）。端末は、レガシ搬送波タイプが使われるか、もしくは端末がＣＲＳを検知すると仮定しなければならない。それは、ｃｒｓＡｃｔｉｖｅＴｉｍｅｒをリセットすることによって、端末が、ｃｒｓＡｃｔｉｖｅＴｉｍｅｒ周期のためのＣＲＳを読み取るよう試み、どのような送信もない、もしくはＣＲＳベースのＰＤＳＣＨが送信されないブランクサブフレーム（もしくは、オフ周期）を開始する（it shall reset 'crsActiveTimer' so that the UE shall attempt to read CRS for crsActiveTimer duration and starts blank subframe (or off cycle) where no transmission or CRS based PDSCH is not transmitted）。隣接セル間でサブフレームを交換することによって、各セルは、減少された電力および最高電力を各々有する（また、電力を一切有しない場合もある）サブフレームのセットを決定することができる。減少された電力サブフレームが使われる場合、上位層シグナリングもしくはＤＣＩにより端末にシグナリングされることができる。減少された電力サブフレームによって、参照信号のために使われる電力ブースティングは、最大電力が使用可能な通常サブフレームとは異なる。
【００８７】
記述したように、サブフレームタイプは、（１）ＬＣＴ、（２）ＮＣＴおよび（３）オフサブフレームがＰＳＳ/ＳＳＳを含むどのようなシグナリングも伝達しない場合のオフに分類されることができる。オフサブフレームは、ＮＣＴサブフレームがＤＭ−ＲＳベースのＰＤＳＣＨ（DM-RS based PDSCH）を伝達することができることを除いて、ＮＣＴと同様に扱われ、ここで、オフサブフレームは、どのようなデータ送信も伝達しない。
【００８８】
さらに、本実施例では、動的セルのオン/オフスキームが記述される。端末がオン/オフ動作を実行するＳｃｅｌｌにより設定され、高速スケールオン/オフ動作をサポートするために、ある程度のメカニズムが考慮されることができる。
【００８９】
データが使用可能か否かとは関係なくＰｃｅｌｌがオン状態に維持されることができるため、クロス搬送波スケジューリングベースのセルのオン/オフは定義される必要がある。クロス搬送波スケジューリングを使用することは、セルを動的にオンもしくはオフすることであると考慮されることができる。（A cross-carrier scheduling based cell on/off is needed to define, since PCell may maintain its state as 'ON' regardless of data availability, using cross-carrier scheduling can be considered to dynamically on or off the cell.）一つの例示は、クロス搬送波スケジューリングＤＣＩがＰＣｅｌｌもしくは他のスケジューリングセルを介してスケジューリングされる場合に限って、Ｓｃｅｌｌがオン状態であることを仮定する。端末は、他のサブフレームでＳｃｅｌｌがオン状態でないことを仮定する。セル状態と関係なく端末の測定をサポートするために、ＲＲＭ測定の側面で、ディスカバリ信号は、制限された特定セットがディスカバリ信号送信設定を追加して設定することができる場合、ＲＲＭ測定のために使われることができると仮定される。または、端末がディスカバリ信号に基づいて測定を実行することができる場合、端末は、測定タイミング設定によって設定されることができる。ＣＳＩ測定に関して、端末は、測定サブフレームセットに類似する設定がＣＳＩ測定のために与えられると仮定することができ、この場合、端末は、測定サブフレームセットにより設定されたサブフレームがＣＳＩ−ＲＳもしくはＣＲＳなどの測定ＲＳを伝達すると仮定することができる（For CSI measurement, a UE may assume that measurement subframe set-like configuration is given for CSI measurement where a UE can assume that the subframe configured by the measurement subframe set will carry the measurement RS such as CSI-RS or CRS）。または、ＣＳＩフィードバックの側面で、端末は、ＣＳＩフィードバックのためのＣＳＩ−ＲＳもしくはＣＲＳが送信されるサブフレームの実際の状態と関係なくセルが活性化される場合、ＣＳＩフィードバックが必要であると仮定することができる（Or, in terms of CSI feedback, a UE may assume that CSI feedback is needed if the cell is activated regardless of actual state of the subframe where CSI-RS or CRS for CSI feedback is transmitted）。上記セットは、端末が、ＣＳＩ０で設定されたサブフレームが、“オン−サブフレーム”であり、したがって測定ＲＳを送信すると仮定する場合のＣＳＩ０と、同じであることができる（The set may be same to CSI0 where a UE assume that subframes configured in CSI0 are "ON-subframes" and thus transmit measurement RS）。しかし、別個の設定が測定のための各活性化サブフレームを指示するために与えられることができると仮定することは実現可能である。ＤＲＸが設定されると、端末は、そのようにするよう設定される場合、ＣＳＩフィードバックを測定するために活性化サブフレームのうち一つをウェイクアップ（wake-up）することができる。ＲＬＭに関して、端末は、ＤＲＸ動作でＲＬＭを実行するために活性化サブフレームのうち一つをウェイクアップすることができる。
【００９０】
オン/オフ動作に基づいたクロス搬送波スケジューリングに関する一例を図８に示す。この場合、ＣＲＳベースのＴＭが設定される場合、端末は、ＣＲＳがサブフレーム毎に存在すると仮定することができない。スケジュールされたＤＣＩもしくはスケジュールされたクロス搬送波を有するサブフレームのみがＣＲＳを有すると仮定することができる。このように、複数のサブフレーム上のＣＲＳを使用するチャネル推定は、実現可能でない。このように、データ復調全体のパフォーマンスは低下することがある（Thus, overall data demodulation performance may be degraded）。しかし、ＤＭ−ＲＳベースのＴＭが設定される場合、このようなアプローチは容易に達成されることができる。このように、ＤＭ−ＲＳベースのＴＭのみによって設定されるこのタイプのオン/オフ動作の適用がさらに考慮されることができる（Thus, it can be further considered to apply this type of on/off operation only with DM-RS based TM is configured）。即ち、端末は、スケジューリングＤＣＩがスケジューリングセルもしくはＰｃｅｌｌに存在する場合のみＣＲＳが存在すると仮定する場合に、上位層により‘潜在的な’Ｓｃｅｌｌオン/オフ動作に設定されることができる。さらに、端末は、ＴＭ４などのＣＲＳベースのＴＭがどのようなパフォーマンスの低下も招かないようにＳｃｅｌｌのために設定される場合、ＣＲＳはスケジューリングＤＣＩと関係なく存在すると仮定することができる。どちらの場合でも、端末は、必要な測定信号が、ＣＳＩ測定サブフレームセットおよび/もしくはディスカバリ信号サブフレームおよび/もしくは制限された測定セットなどの他の設定された測定サブフレームセットのために存在すると仮定することができる。セルの高速オン/オフ動作（fast on/off operation）がＳｃｅｌｌで適用されるかどうかは、各端末に対して上位層で設定されることができる。また、クロス搬送波スケジューリングが使われる場合、ＤＲＸ動作は、スケジューリングもしくはＰｃｅｌｌと調整（同調）する（aligned with）ことができる。さらに、セルの高速オン/オフ動作が適用される場合、測定は、設定された測定関連のサブフレームおよび/もしくはディスカバリ信号サブフレームでのみ（only in configured measurement related subframes and/or discovery signal subframes）実行されることができる。また、これは、新しいＴＭが使われる場合、ＴＭ９もしくはＴＭ１０の変化（変形）（variation）などの新しいＴＭを定義することによって得ることができる。ＤＣＩは、クロス搬送波スケジュールされ（cross-carrier scheduled）、高速オン/オフ動作は、スケジュールされたセルで使われることができる。しかし、端末アップリンク動作は、影響を受けないと仮定する。
【００９１】
実施例に示すように、Ｓｃｅｌｌは、クロス搬送波スケジューリングＤＣＩがＰｃｅｌｌもしくはスケジューリングセルで使用可能であるときはいつでも‘活性化’として仮定される。データ送信もしくは測定のいずれにも使われない他のサブフレームは、‘非活性化’もしくは‘オフ状態’サブフレームとして仮定されることができる（Other subframes not used for neither data transmission nor measurement may be assumed as 'anactive' or 'off-state' subframes）。
【００９２】
ＭＡＣ ＣＥもしくはモード切替に基づく動的シグナリングが、使われることができる。端末が測定セットもしくは他の設定によってＣＳＩフィードバックのために使われるサブフレームセットで設定される場合、端末は、セルが非活性化されるかもしくは非設定されない限り（unless the cell is deactivated or de-configured）、これらのサブフレームがオン（ｏｎ）に維持されると仮定することができる。測定およびこのようなオン状態のために使われるこれらのサブフレームに加えて、端末は、２個の別個のオン状態動作を仮定することができる。１番目のタイプは連続的オン状態であり、この場合、サブフレームは一定の時間連続して‘オン状態’であるので、端末は、ＭＢＳＦＮ設定と調整されたｅＮＢからの連続ＣＲＳ送信を仮定することができる。他のタイプは間欠的オン状態であり、この場合、測定のために使われないサブフレームは、通知されない限り、オン状態であると仮定されない（first type is continuous ON-state where subframes will be 'ON-state' for a time continuously, and thus a UE may be able to assume that continuous CRS transmission from eNB aligned with MBSFN configuration and the other type is intermittent ON-state where subframes not used for measurement may not be assumed as ON-state unless otherwise noted）。２個のモードを切り替えるために、ＭＡＣ ＣＥもしくはＤＣＩ １Ｃに基づく動的指示などの動的シグナリング（dynamic signaling such as DCI 1C based dynamic indication）のうちいずれかが使われることができる。他のアプローチは、端末がＣＲＳもしくはｅＮＢの送信が‘オン−デュレーション’もしくは‘ダウンリンク受信のための活性化時間’で発生すると仮定することができる、ＤＲＸに類似した設定（DRX-like configuration）を利用することである。測定サブフレームが端末間で調整される場合、次世代端末へのＤＣＩベースのブロードキャスト（DCI based broadcast）は、より良いシステム動作を提供することができる。しかし、柔軟性および端末固有のモード切替を考慮すると、ＭＡＣ−ＣＥベースのアプローチ（MAC-CE based approach）がより適切である。もちろん、セル共通ＭＡＣ ＣＥも考慮されることができる。変更指示を受信すると直ちに、端末は、セルがその後のｋ番目のサブフレームで異なるモードにあると仮定しなければならない。
【００９３】
上記指示において、ＭＡＣ ＣＥもしくはＤＣＩは、適用可能なタイミング情報を伝達することができる。動作は、セル活性化/非活性化手順と類似している。したがって、この動作は、セルが非活性化される場合、端末動作を変更することによってセル活性化/非活性化手順により利用されることができる。セルが非活性化される場合、全ての動作を不可能にするより、ある程度の動作は、セルが非設定されるときまで維持されることができる。現在、セルが非活性化される場合の端末動作は、次のとおりである（Currently, the followings are the UE behavior when a cell is deactivated）。Ｓｃｅｌｌが非活性化されると、ＳＣｅｌｌでＳＲＳを送信せず、ＳｃｅｌｌのためにＣＱＩ/ＰＭＩ/ＲＩ/ＰＴＩを報告せず、Ｓｃｅｌｌ上でＵＬ−ＳＣＨを送信せず、ＳＣｅｌｌ上でＲＡＣＨを送信せず、Ｓｃｅｌｌ上でＰＤＣＣＨをモニタリングせず、ＳｃｅｌｌのためにＰＤＣＣＨをモニタリングしない。
【００９４】
本発明は、セルが非活性化されても、ＳｃｅｌｌのためにＣＱＩ/ＰＭＩ/ＲＩ/ＰＴＩを報告し続けることを提案する。または、端末がそれをするよう（例えば、ｋｅｅｐＣＱＩａｆｔｅｒｄｅａｃｔｉｖａｔｉｏｎ＝ＴＲＵＥにより）上位層により設定される場合のみ、ＣＳＩ報告は持続される（Or, the CSI reporting will be continued after deactivation only if a UE is configured by higher layer to do so (e.g., by keepCQIafterdeactivation = TRUE)）。より詳しくは、広帯域ＣＱＩのみが持続されるか、もしくは非周期的ＣＳＩ報告のみが持続されることもできる。この場合、非周期的ＣＳＩ要求は、Ｐｃｅｌｌ、Ｓｃｅｌｌなどの他のセルによりトリガされ、端末は、ＰＤＣＣＨをモニタリングしない（In this case, aperiodic CSI request will be triggered by other cell such as PCell as SCell a UE will not monitor PDCCH）。非周期的ＣＳＩ報告に対しても、広帯域ＣＱＩのみが報告されることができる。
【００９５】
さらに、ｅＩＭＴＡ（enhanced Interference Mitigation&Traffic Adaptation）ベースのオン/オフ動作（eIMTA based on/off operation）が、本発明に適用される。ｅＩＭＴＡは、ＤＬ−ＵＬ干渉測定およびトラフィック適応（traffic adaptation）のためのＬＴＥ ＴＤＤに対する拡張であり、動的ＴＤＤ設定をサポートする。また、例えば、それは動的ＴＤＤ設定でｅＩＭＴＡと接続される。トラフィック適応のためのＴＤＤ ＵＬ/ＤＬ設定は、再設定もしくはＨＡＲＱスキームにより使われる。また、ＴＤＤ ＵＬ/ＤＬ再設定において、干渉緩和はＵＬ電力制御として使われる。そして、高速移行時間セルのオン/オフ（fast transition time cell on/off）の他の潜在的な応用は、ＴＤＤモードが使われる場合、ｅＩＭＴＡフレームワーク（framework）を利用することである。端末がｅＩＭＴＡを実行可能である場合、動的セルのオン/オフを利用することは、ｅＩＭＴＡフレームワークを利用して動的ＴＤＤ ＤＬ/ＵＤ設定を介して遂行されることができる。例えば、端末は、ＳＩＢを介してＴＤＤ ＤＬ/ＵＬ設定＃０で設定され、ＤＬ−ＨＡＲＱタイミング参照設定としてＴＤＤ ＤＬ/ＵＬ設定＃５で設定される。この場合、アップリンク＃２のみがＰＵＣＣＨを伝達する固定されたアップリンクであり、他のアップリンクサブフレームは、柔軟なダウンリンクもしくはアップリンクサブフレームのうちいずれかのために使われることができる。継続的なオン状態もしくは間欠的オン状態の二つの状態間でモードを変更するために、ネットワークは、ＤＬ/ＵＬ設定＃５からＤＬ/ＵＬ設定＃０になど、ＤＬ/ＵＬ設定を動的に変更させることができ、この場合、動的ＤＬ/ＵＬ設定により指示されるアップリンクサブフレームは、アップリンク送信がスケジューリングにおいて依然として実行可能であるセルオフ動作のために使われることができる（a network can dynamically change DL/UL configuration from such as DL/UL configuration #5 to DL/UL configuration #0 where uplink subframes indicated by dynamic DL/UL configuration may be used for cell off operation where uplink transmission can be still feasible depending on the scheduling）。これは追加の設計作業を必要とせずに高速時間−スケールセルのオン/オフ動作のために使われることができる。
【００９６】
類似のアプローチは、ＦＤＤに適用されることができる。しかし、動的サブフレーム変更は、ＰＨＩＣＨ送信などのＨＡＲＱ−ＡＣＫタイミングの変更を引き起こすことができる。この場合のＰＨＩＣＨは、端末がＰＨＩＣＨを受信することができるようＰＨＩＣＨが予想されるサブフレームがターンオフされてはならないか、または、ＰＨＩＣＨサブフレームがオフ状態に変更された場合、端末がＰＨＩＣＨを使用せずに動作できる（however, dynamic subframe change may cause HARQ-ACK timing change such as PHICH transmission where PHICH expected subframe should not be turned off such that a UE may be able to receive PHICH or a UE may operate without PHICH if the PHICH subframe changes to OFF state）。このように、無線フレーム毎に‘動的’オン/オフ動作を設定しないことが好ましい。必要な場合、ＨＡＲＱ−ＡＣＫタイミングおよびＡＣＫ/ＮＡＣＫピギーバック（piggybacking）およびメカニズムが、ＦＤＤ動作にもかかわらずＴＤＤ動作に従うことができる場合、ＴＤＤ ＤＬ/ＵＬ設定は考慮されることができる。特に、ＴＤＤ−ＦＤＤ ＣＡが設定され、オン/オフ動作がＳｃｅｌｌのために発生されることができる場合、有用である。ＦＤＤがＳｃｅｌｌの場合、端末は、ＨＡＲＱ−ＡＣＫタイミング参照設定のために使用することになるＦＤＤ上で、参照ＤＬ ＨＡＲＱ−ＡＣＫタイミングに設定されることができる。さらに、ｅＩＭＴＡは、ダウンリンクとアップリンクとが別個に実行されることができる場合、ＦＤＤ動作に適用されることができる。
【００９７】
例えば、動的ＤＣＩがＦＤＤのためのＴＤＤ ＤＬ/ＵＬ設定＃２を指示する場合（ＤＳＵＤＤＤＳＵＤＤ）、端末は、サブフレーム＃２/＃７がダウンリンク送信のために使われないこと（したがって、オフ状態）を仮定することができる。ＦＤＤ−ＦＤＤ ＣＡが設定され、ｅＩＭＴＡがＦＤＤ Ｓｃｅｌｌのために適用される場合、端末は、全てのタイミングおよびＨＡＲＱ−ＡＣＫ送信がＦＤＤ−ＴＤＤ（ＦＤＤ/ＴＤＤ ｅＩＭＴＡ）フレームワークにしたがうと仮定されるＦＤＤ−ＴＤＤ ＣＡをサポート可能でなければならない。より詳しくは、ｅＩＭＴＡがＦＤＤのために適用される場合、ダウンリンクに設定されないサブフレームはダウンリンクサブフレームのために全く使われないため、全てのＰＨＩＣＨおよびセルフスケジューリングタイミング（self-scheduling timing）は、ＴＤＤにもしたがう必要がある。即ち、端末がＳｃｅｌｌとしてＦＤＤのためのｅＩＭＴＡに類似する動作で設定される場合、Ｓｃｅｌｌダウンリンクは、設定におけるアップリンクサブフレームがオフサブフレームとして仮定されるＴＤＤ設定として仮定される（In other words, if a UE is configured with eIMTA-like operation for FDD as a SCell, the SCell downlink should be assumed as TDD configuration where uplink subframes in the configuration would be assumed as OFF subframes）。ＰＵＳＣＨなどのアップリンク送信に対し、ＦＤＤ−ＴＤＤ ＣＡフレームワークタイミング/スケジューリングは、ＦＤＤが一対のアップリンク周波数を有する場合に使われる。
【００９８】
さらに、非周期的要求により設定されたＳｃｅｌｌであるが、非活性化もしくは間欠的オン状態をトリガする非周期的ＣＳＩを可能にすることがさらに考慮されることができる（Besides, it can be further considered to allow aperiodic CSI triggering on deactivated or intermittent ON-state but configured SCells by aperiodic request）。これは非活性化Ｓｃｅｌｌを含むことによる非周期的ＣＳＩセットを設定することによって遂行することができる。端末が、非活性化されたセルもしくは間欠的オン状態セルで、非周期的ＣＳＩを実行することができる場合、セル上でＣＳＩフィードバックを報告する。そうでない場合、ＣＳＩフィードバックは、省略されるか、もしくは予め指定された値にすることができる。端末は、準備できていない（レディでない）か、もしくは搬送波をモニタリングしていないか、もしくは測定ギャップ（measurement gap）中である場合、ＣＳＩ測定を実行することができない（A UE may not be able to perform CSI measurement if it is not ready or it has not been monitoring the carrier or in measurement gap）。
【００９９】
他の潜在的な拡張は、端末がＣＳＩフィードバックを開始することによりＳｃｅｌｌの活性化の準備を開始する場合、‘活性化準備’命令を追加することである。このモードにおいて、端末は、ダウンリンク（例えば、ＰＤＣＣＨ）をまだモニタリングせずに、測定が設定されると、ＣＳＩフィードバックのみを実行することができる。活性化命令を受信すると直ちに、ダウンリンク制御/データチャネルのモニタリングを開始することができる。より詳しくは、このような活性化準備命令は、動的シグナリングなどのセル共通シグナリング、もしくはページング、もしくはセル共通ブロードキャストメカニズムを介してブロードキャストされることができる。
【０１００】
さらに、セルのオン/オフは、ハンドオーバもしくは二重接続のためのメカニズムをサポートする。これを図１０に示す。
【０１０１】
ハンドオーバ手順中、ｅＮＢがフレーム/サブフレーム境界およびＳＦＮの側面で調整されない場合、端末は、フレーム境界のＰＳＳ/ＳＳＳを取得し、ＰＢＣＨを取得することによって、フレーム境界およびＳＦＮを決定しなければならない。二重接続でも同じ状況が発生する。端末は、フレーム境界とタイトな（tight）関係を有しないことがあるディスカバリ信号（discovery signals which may not have a tight relationship with frame boundary）を使用して測定を実行するため、端末がフレーム境界もしくはＳＦＮを探す明白な手段はない。したがって、オフ状態中のレガシ信号を省略するため、ハンドオーバおよび/もしくは二重接続に関する追加のサポートが必要であることがある（Thus, to omit legacy signals during off-state, additional support on hand-over and/or dual connectivity may be necessary）。
【０１０２】
ハンドオーバもしくは二重接続手順が実行される場合、ＤＲＳがフレーム境界およびＳＦＮを推論するために使われない限り、端末は、ターゲットセルがフレーム境界およびＳＦＮを取得するために活性化されるとき、ＰＳＳ/ＳＳＳおよびＰＢＣＨを読むことが可能でなければならない。このように、本発明が提案する次の代替案では、ハンドオーバの前にソースｅＮＢからのフレーム境界タイミングオフセットおよび/もしくはＳＦＮオフセットを指示するこのような追加の遅延を除去することによって、端末は、フレーム境界および/もしくはＳＦＮのタイミング情報を取得することを必要としなくてもよい（Thus, this invention proposes the following alternatives to eliminate this additional delay indicating frame boundary timing offset and/or SFN offset from source eNB before hand-over so that a UE may not need to acquire the timing information of frame boundary and/or SFN）。これは、両方のｅＮＢが互いにタイミング情報を知ることを必要とすることができる。これは、固定されたサブフレームで送信されるＤＭ−ＲＳ（DeModulation Reference Signals）がＳＦＮ情報を伝達することにより、フレーム境界がＤＭ−ＲＳを位置決めすることによって識別されることができることを含む（It includes that DM-RS (Demodulation Reference Signals) may carry SFN information and transmitted in a fixed subframe so that frame boundary can be identified by the locating DM-RS）。例えば、ＤＭ−ＲＳは、各無線フレームでもしくは多重サブフレーム上で２番目のサブフレーム毎に送信される。
【０１０３】
また、ＳＦＮ情報を伝達するために、ＤＲＳは、ＰＢＣＨもしくは他のデータチャネルを介して到達することによって必須な情報を伝達する（Also, to carry SFN information, DRS comes with PBCH or other data channel to convey the necessary information）。さらに、少なくともｒｏｕｇｈ ＳＦＮは、ＳＦＮ％４＝０がＤＲＳを送信するようにＤＲＳが送信される場合、ＳＦＮを固定することによってＤＲＳにより指示されることができる。端末が正確なＳＦＮを知らないとしても、少なくともＳＦＮのｒｏｕｇｈ情報は、ＤＲＳを読むことによって取得されることができる。または、１０ｍｓｅｃ毎にＰＢＣＨを送信する代わりにオフ状態中にＰＢＣＨを送信し、多少頻繁でない（rather infrequent）ＰＢＣＨ送信は遅延として考慮される。この場合、間欠的ＰＢＣＨがＳＦＮ％４＝０無線フレームでのみ送信される場合、４個のＰＢＣＨの全てを送信する必要がない。そして、ディスカバリ信号間隔と調整される一つのＰＢＣＨのみが送信されることができる。さらに、他のアプローチは、同期の状態を指示する状況で、端末にネットワークがタイトに同期化されているかどうかを指示することである。ＴＤＤでは、特に、ネットワークが同期性を有するため、端末は、ＳＦＮおよびフレーム境界がソースとターゲットセルとの間で調整されると仮定することができる。これは測定設定と関連したＤＲＳと共に考慮されることができる。端末が非同期状態で指示されると、端末は、タイミング情報を取得するためにＰＢＣＨ/ＰＳＳ/ＳＳＳを取得しなければならない。
【０１０４】
図１１は、本発明が適用されるモニタリングタイミングを制御するフローチャートを示す。
【０１０５】
図１１を参照すると、端末は、無線フレーム内において、制御および参照信号の少なくとも一つが送信される第１のサブフレームと制御および参照信号上でＤＲＸ（Discontinuous Reception）が実行される第２のサブフレームとのためにセットされるモニタリングサブフレーム設定を含む情報を取得する（Referring FIG. 11, a UE acquires information including a monitoring subframe configuration, which is set for a first subframe in which at least one of control and reference signal is transmitted, and a second subframe in which a discontinuous reception (DRX) on the control and the reference signal is performed within a radio frame）。モニタリングサブフレーム設定において、上記第１のサブフレームおよび第２のサブフレームは、対応するセルのＤＬ/ＵＬ設定によって変更される（wherein the first subframe and the second subframe in the monitoring subframe configuration are changed according to a downlink (DL)/uplink(UL) configuration of a corresponding cell）（１１１０）。無線フレームにおける第１のサブフレームおよび第２のサブフレームの位置は、トラフィック適応のための動的設定によって変更される。ここで、第１のサブフレームはＬＣＴであり、第２のサブフレームはＮＣＴである。また、端末は、拡張したシステムに従う次世代端末でもよい。端末がレガシ端末の場合、第１のサブフレームのみをＬＣＴとして設定することができる。
【０１０６】
端末は、情報に基づいてセルのモニタリングサブフレームを決定することができる。これは、端末が、ＬＣＴもしくはＮＣＴであるサブフレームタイプを認識すること（１１２０）と、モニタリングサブフレームによって、第１のサブフレームおよび第２のサブフレームのモニタリングを制御すること（１１３０）と、を含む（it includes that the UE recognizes that a subframe type which is LCT or NCT (1120) and control to monitor the first subframe and the second subframe according to the monitoring subframes (1130)）。端末は、ＣＲＳ（Cell specific Reference Signal）が予め指定されたシンボルで送信されることを含むＬＣＴサブフレームとＣＲＳが送信されないことを含むＮＣＴサブフレームとを確認する。
【０１０７】
また、端末は、ＬＣＴサブフレームで測定を実行することとＮＣＴサブフレームで測定を実行しないこととを制御することができる。上記ＮＣＴサブフレームは、ＰＣＦＩＣＨ、ＰＤＣＣＨもしくはＰＨＩＣＨを含むダウンリンク制御チャネルが送信されないサブフレーム、ｅＰＤＣＣＨ、ディスカバリ信号、ＤＭ−ＲＳが送信されるサブフレーム、または、電力制御パラメータが、サブフレーム間の干渉を制御するために、第１のサブフレームより小さく設定されるサブフレーム、をさらに含む（Wherein the NCT subframe further includes; a subframe being that a downlink control channels including a PCFICH, a PDCCH, or a PHICH is not transmitted; a subframe being that ePDCCH, a discovery signal, or a Demodulation Reference Signal (DM-RS) is transmitted; or a subframe being that a power control parameters is configured less than the first subframe to control the interference between subframes）。さらに、端末は、サブフレームの搬送波タイプに基づいて異なるｅＰＤＣＣＨセットを確認することができ、ｅＰＤＣＣＨセットに基づく共通サーチスペース（Common Search Space；ＣＳＳ）もしくは端末固有サーチスペース（User-Specific Search Space；ＵＳＳ）でサブフレームのモニタリングを制御する。
【０１０８】
ここで、端末は、サブフレームの搬送波タイプに関する開始オフセット、オンデュレーションおよび周期を含むＤＲＸ情報を確認することができ（Herein the UE may check DRX information including a starting offset, onduration and cycle for a carrier type of a subframe）、ＤＲＸ情報に基づいてサブフレームの活性化時間およびオフ時間（offtime）を制御することによって、サブフレームがモニタリングサブフレームにあるかどうかを決定することができる。上記情報は、無線フレームにおいて、０番目および５番目のサブフレームが第１のサブフレームのためにセットされ、残りが第２のサブフレームのためにセットされることを含むサブフレームパターン、または、予め指定された値で第１のサブフレームおよび第２のサブフレームを指示するビットマップ情報をさらに含む。ここで、上記情報は、第１のサブフレームおよび第２のサブフレームを指示するビットマップ情報を含むサブフレーム設定、のために、異なるＴＤＤ（Time Division Duplex）設定に基づくＡＢＳ（Almost Blank Subframes）設定、または、モニタリングサブフレームに関する開始オフセット、デュレーションおよび周期を含むＤＲＸ設定を含むＲＲＣ（Radio Resource Control）メッセージと、ＭＡＣ（Medium Access Control）メッセージと、システム情報メッセージと、のうち一つを介して取得される（Herein the information is acquired via one of a radio resource control (RRC) message including a subframe configuration including bitmap information to indicate the first subframe and the second subframe, an almost blank subframes (ABS) configuration based on a different Time Division Duplex (TDD) configuration, or a DRX configuration including a starting offset, duration and period, for the monitoring subframes; a medium access control (MAC) message; or a system information message）。
【０１０９】
図１２は、本発明の実施例による無線通信システムを示すブロック図である。
【０１１０】
基地局１２５０は、プロセッサ（processor）１２５１、メモリ（memory）１２５２、ＲＦ部（Radio Frequency unit）１２５３を含む。メモリ１２５２は、プロセッサ１２５１に結合され、プロセッサ１２５１を駆動するための多様な情報を記憶（格納）する（store）。ＲＦ部１２５３は、プロセッサ１２５１に結合され、無線信号を送信および/もしくは受信する。プロセッサ１２５１は、提案された機能、手続（procedure）、および/もしくは方法を具現する。図２乃至図１１の実施例において、基地局の動作は、プロセッサ１２５１により具現されることができる。
【０１１１】
特に、プロセッサ１２５１は、異なる周波数を使用して一つもしくは複数のセルを設定することができ、本発明のために、プロセッサ１２５１は、セルがセミパーシステント（半永久的）（Semi-Persistent）スケジューリング、ＴＴＩバンドリング（bundling）、ＨＡＲＱ−ＡＣＫ手順をサポートするように設定する。プロセッサ１２５１が、リレイノードとして小型セルを含む設定、このリレイノードと関連した情報（例えば、セルＩＤ、スケジューリング情報など）を端末に設定および送信することによって、端末は、リレイノードからデータを適切に受信することができる（The processor 1251 may configure and transmit a configuration including a small cell as a relay node, the information related to the relay node (e.g., cell ID, scheduling information, etc) to the UE so that the UE can properly receive the data from the relay node）。また、これは、データ送信のためのＡＣＫ/ＮＡＣＫサブフレーム設定を含むことができる。
【０１１２】
また、プロセッサ１２５１は、無線フレーム毎ではなく、ディスカバリ信号もしくは同期化信号が送信されるサブフレームのセットと対応するセルのＤＬ/ＵＬ設定によって変更されるサブフレームパターンとを含む同期化情報を設定することができる。サブフレーム設定は、ＬＣＴサブフレームおよびＮＣＴサブフレームを指示するビットマップ情報を含み、各セルのために設定されるか、または、同期化を実行するためにマクロセルと小型セルの中の一つとの間で共有されることができる（the subframe configuration includes bitmap information to indicate the LCT subframe and the NCT subframe is configured for the cells or shared the between the macro cell and one of the small cells to perform the synchronization）。そして、プロセッサ１２５１は、ディスカバリ信号もしくはネットワークシンクアップ（network sync-up）を実行する同期化信号をモニタリングするためのサブフレームパターンを設定することができる。
【０１１３】
プロセッサ１２５１がサブフレームパターンを設定する場合、サブフレームパターンは、設定されるセル（同期化されるセル）と設定するセル（シンクセルとしての参照セル）との間のオフセット、対応するセルの周期、もしくはサブフレームの搬送波タイプに関する開始オフセット、オンデュレーションおよび周期を含むＤＲＸ情報を含む。したがって、端末は、サブフレームがモニタリングサブフレームにあるかどうかを決定し、ＤＲＸ情報に基づいてサブフレームの活性化時間およびオフ時間を制御する。
【０１１４】
プロセッサ１２５１は、ＬＣＴおよびＮＣＴタイプを有するサブフレームパターンのＤＲＸ設定で、端末の省エネルギのためにセルのオン/オフを設定することができる。また、より良いセル同期化を実行することは、端末にシグナリングされることができる。ＬＣＴおよびＮＣＴタイプを有するサブフレームパターンの情報は、ＲＲＣ設定、Ｓｃｅｌｌ設定もしくはＴＭモード設定により設定される。または、このような設定が端末のノードで予め設定されると、特定セルを動作させるための指示を含む情報は、Ｌ１シグナリングにより指示される。
【０１１５】
プロセッサ１２５１は、選択されたサブフレームを介してＲＡＣＨ手順およびデータ送信を実行することができ、また、ＣＲＳもしくはＰＳＳ/ＳＳＳの各々を設定することができる。ＣＲＳパターンは、無線フレームにおけるＲＲＣ設定によるＣＲＳの開始サブフレーム、サブフレームセットおよびＲＢを含む（the CRS patterns includes a start subframe, subframe set, and RB of the CRS with the RRC configuration in a radio frame）。さらに、プロセッサ１２５１は、トラフィック適応のために適切な動的ＴＤＤを設定することができる。
【０１１６】
基地局１２６０は、プロセッサ（processor）１２６１、メモリ（memory）１２６２、ＲＦ部（Radio Frequency unit）１２６３を含む。メモリ１２６２は、プロセッサ１２６１に結合され、プロセッサ１２６１を駆動するための多様な情報を記憶する。ＲＦ部１２６３は、プロセッサ１２６１に結合され、無線信号を送信および/もしくは受信する。プロセッサ１２６１は、提案された機能、手続、および/もしくは方法を具現する。図２乃至図１１の実施例において、基地局の動作は、プロセッサ１２６１により具現されることができる。
【０１１７】
特に、プロセッサ１２６１は、異なる周波数によって一つもしくは複数のセルを設定することができ、本発明のために、プロセッサ１２６１は、セルがセミパーシステント（Semi-Persistent）スケジューリング、ＴＴＩ−バンドリング（bundling）、ＨＡＲＱ−ＡＣＫ手順をサポートするように設定する。プロセッサ１２６１は、マクロセルおよびリレイノードとして小型セルを含むサービングセルの設定、リレイノードと関連した情報（例えば、セルＩＤ、スケジューリング情報など）を受信および設定することによって、端末が小型セルのリレイノードおよびマクロセルからデータを適切に受信することができるようサポートする（The processor 1261 may configure and receive a configuration of serving cells including a macro cell and a small cell as a relay node, the information related to the relay node (e.g., cell ID, scheduling information, etc) supports that the UE can properly receive the data from the relay node of the small cell and the macro cell）。また、これは、データ送信のためのＡＣＫ/ＮＡＣＫサブフレーム設定を含むことができる。また、プロセッサ１２６１は、ＡＣＫ/ＮＡＣＫサブフレーム設定に基づくデータを受信した後にＡＣＫ/ＮＡＣＫタイミングを計算することができる。
【０１１８】
また、プロセッサ１２６１は、無線フレーム毎ではなく、ディスカバリ信号もしくは同期化信号が送信されるサブフレームのセットおよび対応するセルのＤＬ/ＵＬ設定によって変更されるサブフレームパターンを含む同期化情報を設定することができる。サブフレーム設定は、ＬＣＴサブフレームおよびＮＣＴサブフレームを指示するビットマップ情報を含み、各セルのために設定されるか、または、同期化を実行するために、マクロセルと小型セルの中の一つとの間で共有されることができる（the subframe configuration includes bitmap information to indicate the LCT subframe and the NCT subframe is configured for the cells or shared the between the macro cell and one of the small cells to perform the synchronization）。そして、プロセッサ１２６１は、ディスカバリ信号もしくはネットワークシンクアップ（network sync-up）を実行する同期化信号をモニタリングするためのサブフレームパターンを設定することができる。例えば、モニタリングサブフレーム設定は、無線フレームにおいて、制御および参照信号の少なくとも一つが送信されるＬＣＴサブフレームと制御および参照信号上のＤＲＸ（discontinuous reception）が実行されるＮＣＴサブフレームとのために設定される（For example, the monitoring subframe configuration is set for a LCT subframe in which at least one of control and reference signal is transmitted, and a NCT subframe in which a discontinuous reception (DRX) on the control and the reference signal is performed within a radio frame）。
【０１１９】
プロセッサ１２６１がサブフレームパターンを設定する場合、サブフレームパターンは、設定されるセル（同期化されるセル）と設定するセル（シンクセルとしての参照セル）との間のオフセット、対応するセルの周期、もしくはサブフレームの搬送波タイプに関する開始オフセット、オンデュレーションおよび周期を含むＤＲＸ情報を含む。したがって、端末は、サブフレームがモニタリングサブフレームにあるかどうかを決定し、ＤＲＸ情報に基づいてサブフレームの活性化時間およびオフ時間を制御する。
【０１２０】
プロセッサ１２６１は、ＬＣＴおよびＮＣＴタイプを有するサブフレームパターンのＤＲＸ設定で、端末の省エネルギのためにセルのオン/オフを設定することができる。また、より良いセル同期化を実行することは、端末にシグナリングされることができる。したがって、プロセッサ１２６１は、サブフレームの搬送波タイプに関する開始オフセット、オンデュレーションおよび周期を含むＤＲＸ情報（a DRX information including a starting offset, onduration and cycle for a carrier type of a subframe）を確認することができ、ＤＲＸ情報に基づいてサブフレームの活性化時間およびオフ時間を決定して、サブフレームがモニタリングサブフレームにあるかどうかモニタリングサブフレームを計算する（calculate monitoring subframes whether a subframe is in the monitoring subframes or not）ことができる。また、ＬＣＴおよびＮＣＴタイプを有するサブフレームパターンの情報は、ＲＲＣ、ＳｃｅｌｌもしくはＴＭモードにより設定される。または、このような設定が端末のノードで予め設定される場合、特定セルを動作させるための指示を含む情報は、Ｌ１シグナリングにより指示される。したがって、プロセッサ１２６１は、サブフレームをモニタリングすることを制御し、サブフレーム毎にＬＣＴおよびＮＣＴを確認することができる。
【０１２１】
プロセッサ１２６１は、選択されたサブフレームを介してＲＡＣＨ手順およびデータ送信を実行することができ、また、ＣＲＳもしくはＰＳＳ/ＳＳＳの各々を設定することができる。ＣＲＳパターンは、無線フレームにおけるＲＲＣ設定によるＣＲＳの開始サブフレーム、サブフレームセットおよびＲＢを含む（the CRS patterns includes a start subframe, subframe set, and RB of the CRS with the RRC configuration in a radio frame）。さらに、プロセッサ１２６１は、トラフィック適応のために適切な動的ＴＤＤを設定することができる。
【０１２２】
プロセッサは、ＡＳＩＣ（Application-Specific Integrated Circuit）、他のチップセット、論理回路および/もしくはデータ処理装置を含むことができる。メモリは、ＲＯＭ（Read-Only Memory）、ＲＡＭ（Random Access Memory）、フラッシュメモリ、メモリカード、記憶（格納）（storage）媒体および/もしくは他の記憶装置を含むことができる。ＲＦ部は、無線信号を処理するためのベースバンド回路を含むことができる。実施例がソフトウェアで具現される場合、前述したスキームは、前述した機能を遂行するモジュール（手続、機能など）で具現されることができる。モジュールは、メモリに記憶され、プロセッサにより実行されることができる。メモリは、プロセッサの内部もしくは外部で具現されることができ、よく知られた多様な手段でプロセッサと通信可能に結合されることができる。
【０１２３】
前述した例示的なシステムにおいて、方法は、一連のステップもしくはブロックで流れ図に基づいて説明されているが、本発明は、ステップの順序に限定されるものではなく、あるステップは、前述と異なるステップと、異なる順序でもしくは同時に発生できる。また、当業者であれば、流れ図に示すステップが排他的でなく、他のステップが含まれ、もしくは流れ図の一つもしくは複数のステップが本発明の範囲に影響を及ぼさずに削除可能であることを理解することができる。
【図１】
0006416215.tif 000002
【図２】
0006416215.tif 000003
【図３】
0006416215.tif 000004
【図４】
0006416215.tif 000005
【図５】
0006416215.tif 000006
【図６】
0006416215.tif 000007
【図７】
0006416215.tif 000008
【図８】
0006416215.tif 000009
【図９】
0006416215.tif 000010
【図１０】
0006416215.tif 000011
【図１１】
0006416215.tif 000012
【図１２】
0006416215.tif 000013